(57)【特許請求の範囲】
【請求項１】
ユーザーインターフェイス素子を少なくとも１つの光源と関連付ける方法であって、
複数のＬＥＤのうちの１つ以上のＬＥＤを覆うユーザーインターフェイス素子の存在を特定するステップと、
前記ユーザーインターフェイス素子の存在の特定に基づき、前記ユーザーインターフェイス素子を前記ＬＥＤのうちの被制御ＬＥＤの制御と関連付けるステップと、
前記ユーザーインターフェイス素子で覆われたＬＥＤのうちの少なくとも１つによるユーザーインターフェイス素子の少なくとも１つの物理的特徴のセンシングに基づいて、前記ユーザーインターフェイス素子の少なくとも１つの照明制御特性を特定するステップと、
前記ユーザーインターフェイス素子とのユーザーインタラクションを特定するステップと、
前記ユーザーインターフェイス素子との前記ユーザーインタラクションに応じて前記被制御ＬＥＤの少なくとも１つの特性を調整するステップとを含み、
前記被制御ＬＥＤの前記調整は、前記ユーザーインターフェイス素子の前記照明制御特性に基づく、方法。
【請求項２】
前記ユーザーインターフェイス素子との前記ユーザーインタラクションを特定する前記ステップは、前記覆われたＬＥＤのうちの少なくとも１つのＬＥＤによる前記ユーザーインターフェイス素子との前記ユーザーインタラクションのセンシングを含む、請求項１に記載の方法。
【請求項３】
前記ユーザーインターフェイス素子との前記ユーザーインタラクションを特定する前記ステップは、前記ユーザーインターフェイス素子との前記ユーザーインタラクションに応じて前記ユーザーインターフェイス素子からユーザーインタラクションデータを受け取るステップを含む、請求項１に記載の方法。
【請求項４】
ユーザーインターフェイス素子を少なくとも１つの光源と関連付ける方法であって、
複数のＬＥＤのうちの１つ以上のＬＥＤを覆うユーザーインターフェイス素子の存在を特定するステップと、
前記ユーザーインターフェイス素子の存在の特定に基づき、前記ユーザーインターフェイス素子を前記ＬＥＤのうちの被制御ＬＥＤの制御と関連付けるステップと、
前記ユーザーインターフェイス素子の少なくとも１つの照明制御特性を特定するステップと、
前記ユーザーインターフェイス素子とのユーザーインタラクションを特定するステップと、
前記ユーザーインターフェイス素子との前記ユーザーインタラクションに応じて前記被制御ＬＥＤの少なくとも１つの特性を調整するステップとを含み、
前記被制御ＬＥＤの前記調整は、前記ユーザーインターフェイス素子の前記照明制御特性に基づき、
前記ユーザーインターフェイス素子を被制御ＬＥＤの制御と関連付ける前記ステップは、前記ユーザーインターフェイス素子の前記被制御ＬＥＤへの近さに基づく、方法。
【請求項５】
前記ユーザーインターフェイス素子を被制御ＬＥＤの制御と関連付ける前記ステップは、前記覆われたＬＥＤの前記被制御ＬＥＤとの関連付けに基づく、請求項１に記載の方法。
【請求項６】
前記ユーザーインターフェイス素子を被制御ＬＥＤの制御と関連付ける前記ステップは、前記ユーザーインターフェイス素子の少なくとも１つの物理的特徴に基づき、前記少なくとも１つの物理的特徴はＲＦタグである、請求項１に記載の方法。
【請求項７】
ユーザーインターフェイス素子を少なくとも１つの光源と関連付ける方法であって、
複数のＬＥＤのうちの１つ以上のＬＥＤを覆うユーザーインターフェイス素子の存在を特定するステップと、
前記ユーザーインターフェイス素子の存在の特定に基づき、前記ユーザーインターフェイス素子を前記ＬＥＤのうちの被制御ＬＥＤの制御と関連付けるステップと、
前記ユーザーインターフェイス素子の少なくとも１つの照明制御特性を特定するステップと、
前記ユーザーインターフェイス素子とのユーザーインタラクションを特定するステップと、
前記ユーザーインターフェイス素子との前記ユーザーインタラクションに応じて前記被制御ＬＥＤの少なくとも１つの特性を調整するステップとを含み、
前記被制御ＬＥＤの前記調整は、前記ユーザーインターフェイス素子の前記照明制御特性に基づき、
前記ユーザーインターフェイス素子を前記被制御ＬＥＤの制御と関連付ける前記ステップは、
構成フェーズを開始するステップと、
前記構成フェーズ中に前記被制御ＬＥＤの視覚的表示を提供するステップと、
前記被制御ＬＥＤの前記視覚的表示に応じて、前記構成フェーズ中に前記ユーザーインターフェイス素子の前記被制御ＬＥＤの制御との関連付けを示す構成承認を受け取るステップとを含む、方法。
【請求項８】
前記覆われたＬＥＤのうちの少なくとも１つのＬＥＤによって前記ユーザーインターフェイス素子を照らすステップを更に含む、請求項１に記載の方法。 
【請求項９】
取り付け可能素子に応じて少なくとも１つの光源を調整する方法であって、
複数のＬＥＤのうちの１つ以上のＬＥＤを覆う取り付け可能素子の存在を特定するステップと、
前記取り付け可能素子の存在の特定に基づき、前記取り付け可能素子を前記ＬＥＤのうちの被制御ＬＥＤと関連付けるステップと、
前記取り付け可能素子で覆われたＬＥＤのうちの少なくとも１つによる前記取り付け可能素子の少なくとも１つの物理的特徴のセンシングに基づいて、前記取り付け可能素子の少なくとも１つの照明制御特性を特定するステップと、
前記取り付け可能素子の前記少なくとも１つの照明制御特性に基づき、前記被制御ＬＥＤの少なくとも１つの特性を調整するステップと
を含む、方法。
【請求項１０】
前記物理的特徴は、前記取り付け可能素子のサイズ及び形状のうちの少なくとも１つを含む、請求項９に記載の方法。
【請求項１１】
前記取り付け可能素子を前記被制御ＬＥＤと関連付ける前記ステップは、前記取り付け可能素子の前記被制御ＬＥＤへの近さに基づく、請求項９に記載の方法。
【請求項１２】
前記取り付け可能素子を前記被制御ＬＥＤの制御と関連付ける前記ステップは、前記覆われたＬＥＤの前記被制御ＬＥＤとの関連付けに基づく、請求項９に記載の方法。
【請求項１３】
前記取り付け可能素子とのユーザーインタラクションを特定するステップを更に含み、前記被制御ＬＥＤの少なくとも１つの特性を調整する前記ステップは、前記取り付け可能素子との前記ユーザーインタラクションに応じたものである、請求項９に記載の方法。
【請求項１４】
メモリと、前記メモリ内に保存された命令を実行可能なコントローラとを含む照明装置であって、前記命令は、
複数のＬＥＤのうちの１つ以上のＬＥＤを覆うユーザーインターフェイス素子の存在を特定する命令と、
前記ユーザーインターフェイス素子の存在の特定に基づき、前記ユーザーインターフェイス素子を前記ＬＥＤのうちの被制御ＬＥＤの制御と関連付ける命令と、
前記ユーザーインターフェイス素子で覆われたＬＥＤのうちの少なくとも１つによるユーザーインターフェイス素子の少なくとも１つの物理的特徴のセンシングに基づいて、前記ユーザーインターフェイス素子の少なくとも１つの照明制御特性を特定する命令と、
前記ユーザーインターフェイス素子とのユーザーインタラクションを特定する命令と、
前記ユーザーインターフェイス素子との前記ユーザーインタラクションに応じて前記被制御ＬＥＤの少なくとも１つの特性を調整する命令であって、前記被制御ＬＥＤの前記調整は、前記ユーザーインターフェイス素子の前記照明制御特性に基づく、命令と
を含む、照明装置。
【請求項１５】
少なくとも１つの調整可能な照明特性を有する照明を生成する少なくとも１つの光源と、
ユーザーインターフェイス素子の存在を感知可能な少なくとも１つのセンシングＬＥＤと、
前記光源及び前記センシングＬＥＤと電気通信する少なくとも１つのコントローラと
を含む、照明システムであって、
前記少なくとも１つのコントローラは、
前記少なくとも１つのセンシングＬＥＤからの入力に基づき前記ユーザーインターフェイス素子の存在を特定し、
前記ユーザーインターフェイス素子の存在の特定に基づき、前記ユーザーインターフェイス素子を前記光源の制御と関連付け、
前記少なくとも１つのセンシングＬＥＤのうちの少なくとも１つによる前記ユーザーインターフェイス素子の少なくとも１つの物理的特徴のセンシングに基づいて、前記ユーザーインターフェイス素子の少なくとも１つの照明制御特性を特定し、
前記ユーザーインターフェイス素子とのユーザーインタラクションを特定し、
前記ユーザーインターフェイス素子との前記ユーザーインタラクションに応じて前記光源の少なくとも１つの特性を調整し、前記光源の前記調整は、前記ユーザーインターフェイス素子の前記照明制御特性に基づく、照明システム。
【発明の詳細な説明】
【技術分野】
【０００１】
［０００１］本発明は、概して照明制御を対象とする。より具体的には、本明細書が開示する様々な発明的方法及び装置は、取り付けられた照明制御素子の１つ以上の特定された特性に基づき、光出力の１つ以上の特性を制御することに関する。
【背景技術】
【０００２】
［０００２］デジタル照明技術、すなわち、発光ダイオード（ＬＥＤ：light-emitting diode）などの半導体光源に基づく照明は、従来の蛍光灯、ＨＩＤ灯、及び白熱灯の実現可能な代替を提供する。ＬＥＤの機能的な利点及び利益は、高いエネルギー変換及び光学的効率、耐性、より低い動作コスト、並びに他の多くのことを含む。ＬＥＤ技術の近年の発達は、多くの用途で様々な照明効果を可能にする効率的でロバストなフルスペクトル照明源を提供している。これらの照明源を具現化する器具の幾つかは、例えば参照により本明細書に援用する米国特許第６，０１６，０３８号及び第６，２１１，６２６号に詳細に論じられているように、様々な色、及び色変化する照明効果を生み出すために、赤色、緑色、及び青色など様々な色を発生することが可能な１つ以上のＬＥＤと、ＬＥＤの出力を個別に制御するためのプロセッサとを含む照明モジュールを特徴とする。
【０００３】
［０００３］ＬＥＤベース光源を含む照明システム等の照明システムでは、照明システムの１つ以上の光源を制御可能なことが望ましい。例えば、照明システムの１つ以上の光源のＯＮ／ＯＦＦ及び／又は１つ以上の光源の１つ以上の照明パラメータを制御可能なことが望ましい場合がある。より具体的には、１つ以上の光源の照明シーン、照明方向、照明カラー、照明強度、ビーム幅、ビーム角、及び／又は他のパラメータを制御可能なことが望ましい可能性がある。
【０００４】
［０００４］１つ以上の光源の構成中の直接指定は、所望の照明パラメータの選択を可能にする。しかし、このような直接指定は、適用される照明を微調整する能力の欠如、新たに導入された環境物体及び／若しくは既存の物体の再配置に適応するための柔軟性の欠如、並びに／又は特定の物体に対する照明パラメータの適合及び／若しくは調整の欠如等、１つ以上の欠点を有し得る。商用電源に接続された制御スイッチも、１つ以上の光源の制御を可能にする。しかし、このような制御スイッチは、例えば商用電源への接続が要求され、制御スイッチの設置場所が制限される可能性がある等、１つ以上の欠点を有し得る。また、スマートフォン及びタブレットも、１つ以上の光源の制御を可能にする。しかし、このような制御は、光源を制御するのにリモートデバイスを見つけなければならない、及び／又は、リモートデバイスの他のアクティビティの妨害等、１つ以上の欠点を有し得る。直接指定、制御スイッチ、スマートフォン、及び／若しくはタブレットの追加の欠点並びに／又は代替的な欠点が提示され得る。
【０００５】
［０００５］したがって、当該技術分野には、光出力の１つ以上の特性の制御を可能にし、オプションで既存のユーザーインターフェイスの１つ以上の欠点を克服する方法及び装置を提供するニーズが存在する。
【発明の概要】
【発明が解決しようとする課題】
【０００６】
［０００６］本開示は照明制御を対象とする。より具体的には、本明細書に開示される様々な発明的方法及び装置は、取り付けられた照明制御素子の１つ以上の特定された特性に基づき光出力の１つ以上の特性を制御することに関する。例えば、一部の実施形態では、１つ以上のＬＥＤの上の照明制御素子の存在が特定され、また、照明制御素子の少なくとも１つの照明制御特性が特定される。照明制御素子の照明制御特性に基づき、照明制御素子に関連付けられた被制御光源の光出力の少なくとも１つの特性が調整される。照明制御素子はユーザーインターフェイス素子であり得る。
【課題を解決するための手段】
【０００７】
［０００７］一般的に、一側面では、ユーザーインターフェイス素子を少なくとも１つの光源と関連付ける方法が提供され、方法は、複数のＬＥＤのうちの１つ以上の覆われたＬＥＤの上のユーザーインターフェイス素子の存在を特定するステップと、ユーザーインターフェイス素子の存在の特定に基づき、ユーザーインターフェイス素子をＬＥＤのうちの被制御ＬＥＤの制御と関連付けるステップと、ユーザーインターフェイス素子の少なくとも１つの照明制御特性を特定するステップと、ユーザーインターフェイス素子とのユーザーインタラクションを特定するステップと、ユーザーインターフェイス素子とのユーザーインタラクションに応じて被制御ＬＥＤの少なくとも１つの特性を調整するステップとを含み、被制御ＬＥＤの調整は、ユーザーインターフェイス素子の照明制御特性に基づく。
【０００８】
［０００８］一部の実施形態では、ユーザーインターフェイス素子とのユーザーインタラクションを特定するステップは、覆われたＬＥＤのうちの少なくとも１つのＬＥＤによるユーザーインターフェイス素子とのユーザーインタラクションのセンシングを含む。
【０００９】
［０００９］一部の実施形態では、ユーザーインターフェイス素子とのユーザーインタラクションを特定するステップは、ユーザーインターフェイス素子とのユーザーインタラクションに応じてユーザーインターフェイス素子からユーザーインタラクションデータを受け取るステップを含む。
【００１０】
［００１０］一部の実施形態では、ユーザーインターフェイス素子の照明制御特性を特定するステップは、覆われたＬＥＤのうちの少なくとも１つのＬＥＤを介するユーザーインターフェイス素子の少なくとも１つの物理的特徴のセンシングに基づく。これらの実施形態の一部のバージョンでは、物理的特徴は、ユーザーインターフェイス素子のサイズ及び形状のうちの少なくとも１つを含む。
【００１１】
［００１１］一部の実施形態では、ユーザーインターフェイス素子を被制御ＬＥＤの制御と関連付けるステップは、ユーザーインターフェイス素子の被制御ＬＥＤへの近さに基づく。
【００１２】
［００１２］一部の実施形態では、ユーザーインターフェイス素子を被制御ＬＥＤの制御と関連付けるステップは、覆われたＬＥＤの被制御ＬＥＤとの関連付けに基づく。
【００１３】
［００１３］一部の実施形態では、ユーザーインターフェイス素子を被制御ＬＥＤの制御と関連付けるステップは、ユーザーインターフェイス素子の少なくとも１つの物理的特徴に基づく。これらの実施形態の一部のバージョンでは、少なくとも１つの物理的特徴はＲＦタグである。
【００１４】
［００１４］一部の実施形態では、ユーザーインターフェイス素子を被制御ＬＥＤの制御と関連付けるステップは、構成フェーズを開始するステップと、構成フェーズ中に被制御ＬＥＤの視覚的表示を提供するステップと、被制御ＬＥＤの視覚的表示に応じて、構成フェーズ中にユーザーインターフェイス素子の被制御ＬＥＤの制御との関連付けを示す構成承認を受け取るステップとを含む。これらの実施形態の一部のバージョンでは、構成承認はユーザーインターフェイス素子を介して受け取られる。オプションで、被制御ＬＥＤの視覚的表示の前に、ＬＥＤのユニークなセットの少なくとも１つの追加の視覚的表示が先行し、ＬＥＤのユニークなセットの視覚的表示中のユーザーインターフェイス素子を介する構成承認の受け取りは、ユーザーインターフェイス素子をＬＥＤのユニークなセットの制御と関連付ける。
【００１５】
［００１５］一部の実施形態では、方法は、覆われたＬＥＤのうちの少なくとも１つのＬＥＤによってユーザーインターフェイス素子を照らすステップを更に含む。
【００１６】
［００１６］一部の実施形態では、ユーザーインターフェイス素子は覆われたＬＥＤの上に取り付け可能である。これらの実施形態の一部のバージョンでは、ユーザーインターフェイス素子は覆われたＬＥＤの上に接着的に取り付け可能である。
【００１７】
［００１７］一般的に、他の側面では、取り付け可能素子に応じて少なくとも１つの光源を調整する方法が提供され、方法は、複数のＬＥＤのうちの１つ以上の覆われたＬＥＤの上の取り付け可能素子の存在を特定するステップと、取り付け可能素子の存在の特定に基づき、取り付け可能素子をＬＥＤのうちの被制御ＬＥＤと関連付けるステップと、取り付け可能素子の少なくとも１つの照明制御特性を特定するステップと、取り付け可能素子の少なくとも１つの照明制御特性に基づき、被制御ＬＥＤの少なくとも１つの特性を調整するステップとを含む。
【００１８】
［００１８］一部の実施形態では、取り付け可能素子の照明制御特性を特定するステップは、覆われたＬＥＤのうちの少なくとも１つのＬＥＤによる取り付け可能素子の少なくとも１つの物理的特徴のセンシングに基づく。これらの実施形態の一部のバージョンでは、物理的特徴は、取り付け可能素子のサイズ及び形状のうちの少なくとも１つを含む。
【００１９】
［００１９］一部の実施形態では、取り付け可能素子を被制御ＬＥＤと関連付けるステップは、取り付け可能素子の被制御ＬＥＤへの近さに基づく。
【００２０】
［００２０］一部の実施形態では、取り付け可能素子を被制御ＬＥＤの制御と関連付けるステップは、覆われたＬＥＤの被制御ＬＥＤとの関連付けに基づく。
【００２１】
［００２１］一部の実施形態では、取り付け可能素子を被制御ＬＥＤと関連付けるステップは、取り付け可能素子の少なくとも１つの物理的特徴に基づく。これらの実施形態の一部のバージョンでは、少なくとも１つの物理的特徴は、サイズ及び形状のうちの少なくとも１つを含む。
【００２２】
［００２２］一部の実施形態では、被制御ＬＥＤは、覆われたＬＥＤによって実質的に取り囲まれ、且つ／又は、主に取り付け可能素子に向けられた光出力を生成する。
【００２３】
［００２３］一部の実施形態では、方法は、取り付け可能素子とのユーザーインタラクションを特定するステップを更に含み、被制御ＬＥＤの少なくとも１つの特性を調整するステップは、ユーザーインターフェイス素子とのユーザーインタラクションに応じたものである。
【００２４】
［００２４］一般的に、他の側面では、メモリと、メモリ内に保存された命令を実行するよう動作可能なコントローラとを含む照明装置が提供される。命令は、複数のＬＥＤのうちの１つ以上の覆われたＬＥＤの上のユーザーインターフェイス素子の存在を特定する命令と、ユーザーインターフェイス素子の存在の特定に基づき、ユーザーインターフェイス素子をＬＥＤのうちの被制御ＬＥＤの制御と関連付ける命令と、ユーザーインターフェイス素子の少なくとも１つの照明制御特性を特定する命令と、ユーザーインターフェイス素子とのユーザーインタラクションを特定する命令と、ユーザーインターフェイス素子とのユーザーインタラクションに応じて被制御ＬＥＤの少なくとも１つの特性を調整する命令であって、被制御ＬＥＤの調整は、ユーザーインターフェイス素子の照明制御特性に基づく、命令とを含む。
【００２５】
［００２５］一般的に、他の側面では、少なくとも１つの調整可能な照明特性を有する照明を生成する少なくとも１つの光源と、ユーザーインターフェイス素子の存在を感知するよう構成された少なくとも１つのセンシングＬＥＤと、光源及びセンシングＬＥＤと電気通信する少なくとも１つのコントローラとを含む、照明システムが提供される。少なくとも１つのコントローラは、少なくとも１つのセンシングＬＥＤからの入力に基づきユーザーインターフェイス素子の存在を特定し、ユーザーインターフェイス素子の存在の特定に基づき、ユーザーインターフェイス素子を光源の制御と関連付け、ユーザーインターフェイス素子の少なくとも１つの照明制御特性を特定し、ユーザーインターフェイス素子とのユーザーインタラクションを特定し、ユーザーインターフェイスとのユーザーインタラクションに応じて被制御ＬＥＤの少なくとも１つの特性を調整する。被制御ＬＥＤの調整は、ユーザーインターフェイス素子の照明制御特性に基づく。
【００２６】
［００２６］他の実施形態は、プロセッサによって実行可能な、本明細書に記載される方法のうちの１つ又は複数等の方法を実行するための命令を保存する非一時的コンピュータ可読記憶媒体を含んでもよい。他の実施形態は、メモリと、メモリに保存される本明細書に記載される方法のうちの１つ又は複数等の方法を実行するための命令を実行するよう動作可能な１つ又は複数のプロセッサとを含むシステムを含んでもよい。
【００２７】
［００２７］本開示の目的で本明細書において使用される場合、「ＬＥＤ」との用語は、任意のエレクトロルミネセンスダイオード、又は、電気信号に呼応して放射を発生できる及び／若しくはフォトダイオードとして動作できる、その他のタイプのキャリア注入／接合ベースシステム（carrier injection/junction-based system）を含むものと理解すべきである。したがって、ＬＥＤとの用語は、次に限定されないが、電流に呼応して発光する様々な半導体ベースの構造体、発光ポリマー、有機発光ダイオード（ＯＬＥＤ）、エレクトロルミネセンスストリップ等を含む。特に、ＬＥＤとの用語は、赤外スペクトル、紫外スペクトル、及び（通常、約４００ナノメートルから約７００ナノメートルまでの放射波長を含む）可視スペクトルの様々な部分のうちの１つ又は複数における放射を発生させることができるすべてのタイプの発光ダイオード（半導体及び有機発光ダイオードを含む）を指す。ＬＥＤの幾つかの例としては、次に限定されないが、様々なタイプの赤外線ＬＥＤ、紫外線ＬＥＤ、赤色ＬＥＤ、青色ＬＥＤ、緑色ＬＥＤ、黄色ＬＥＤ、アンバー色ＬＥＤ、橙色ＬＥＤ、及び白色ＬＥＤ（以下に詳しく述べる）がある。また、ＬＥＤは、所与のスペクトルに対して様々な帯域幅（例えば半波高全幅値（ＦＷＨＭ：full widths at half maximum））、及び所与の一般的な色分類内で様々な支配的波長を有する放射（例えば狭帯域幅、広帯域幅）を発生させるように構成及び／又は制御することができることを理解すべきである。 
【００２８】
［００２８］例えば本質的に白色光を生成するＬＥＤ（例えば白色ＬＥＤ）の一実施態様は、それぞれ、組み合わされることで混合して本質的に白色光を形成する様々なスペクトルのエレクトロルミネセンスを放射する複数のダイを含む。別の実施態様では、白色光ＬＥＤは、第１のスペクトルを有するエレクトロルミネセンスを異なる第２のスペクトルに変換する蛍光体材料に関連付けられる。この実施態様の一例では、比較的短波長で狭帯域幅スペクトルを有するエレクトロルミネセンスが、蛍光体材料を「ポンピング（pumps）」して、当該蛍光体材料は、いくぶん広いスペクトルを有する長波長放射を放射する。
【００２９】
［００２９］なお、ＬＥＤとの用語は、ＬＥＤの物理的及び／又は電気的なパッケージタイプを限定しないことを理解すべきである。例えば、上述した通り、ＬＥＤは、（例えば個々に制御可能であるか又は制御不能である）異なるスペクトルの放射をそれぞれ放射する複数のダイを有する単一の発光デバイスを指すこともある。また、ＬＥＤは、ＬＥＤ（例えばあるタイプの白色ＬＥＤ）の一体部分と見なされる蛍光体に関連付けられることもある。一般に、ＬＥＤとの用語は、パッケージＬＥＤ、非パッケージＬＥＤ、表面実装ＬＥＤ、チップ・オン・ボードＬＥＤ、ＴパッケージマウントＬＥＤ、ラジアルパッケージＬＥＤ、パワーパッケージＬＥＤ、あるタイプのケーシング及び／又は光学素子（例えば拡散レンズ）を含むＬＥＤ等を指す。
【００３０】
［００３０］「光源」との用語は、次に限定されないが、ＬＥＤベース光源（上記に定義した１つ以上のＬＥＤを含む）、白熱光源（例えばフィラメント電灯、ハロゲン電灯）、蛍光光源、りん光性光源、高輝度放電光源（例えばナトリウム蒸気ランプ、水銀蒸気ランプ、及びメタルハライドランプ）、レーザー、その他のタイプのエレクトロルミネセンス源、パイロルミネセンス源（例えば火炎）、キャンドルルミネセンス源（例えばガスマントル光源、カーボンアーク放射光源）、フォトルミネセンス源（例えばガス状放電光源）、電子飽和（electronic satiation）を使用する陰極発光源（cathode luminescent source）、ガルバノルミネセンス源、結晶発光（crystallo-luminescent）源、キネルミネセンス（kine-luminescent）源、熱ルミネセンス源、摩擦ルミネセンス（triboluminescent）源、音ルミネセンス（sonoluminescent）源、放射ルミネセンス（radioluminescent）源、及び発光ポリマー（luminescent polymers）を含む、様々な放射源のうちの任意の１つ以上を指すと理解すべきである。
【００３１】
［００３１］所与の光源は、可視スペクトル内、可視スペクトル外、又は両者の組合せでの電磁放射を発生する。したがって、「光」及び「放射」との用語は、本明細書では同義で使用される。更に、光源は、一体構成要素として、１つ以上のフィルタ（例えばカラーフィルタ）、レンズ、又はその他の光学的構成要素を含んでもよい。また、光源は、次に限定されないが、指示、表示、及び／又は照明を含む様々な用途に対し構成されることを理解すべきである。「照明源」とは、内部空間又は外部空間を効果的に照射するのに十分な強度を有する放射を発生するように特に構成された光源である。このコンテキストにおいて、「十分な強度」とは、周囲照明（すなわち、間接的に知覚され、また、例えば、全体的に又は部分的に知覚される前に１つ以上の様々な介在面から反射される光）を提供するために空間又は環境において発生される可視スペクトルにおける十分な放射強度（放射強度又は「光束」に関して、全方向における光源からの全光出力を表すために、単位「ルーメン」がよく使用される）を指す。
【００３２】
［００３２］「スペクトル」との用語は、１つ以上の光源によって生成された放射の任意の１つ以上の周波数（又は波長）を指すものと理解すべきである。したがって、「スペクトル」との用語は、可視範囲内の周波数（又は波長）のみならず、赤外線、紫外線、及び電磁スペクトル全体の他の領域の周波数（又は波長）も指す。更に、所与のスペクトルは、比較的狭い帯域幅（例えば、本質的に少数の周波数又は波長成分しか有さないＦＷＨＭ）、又は、比較的広い帯域幅（様々な相対強度を有する幾つかの周波数又は波長成分）を有してよい。また、所与のスペクトルは、２つ以上の他のスペクトルを混合（例えば、複数の光源からそれぞれ放射された放射を混合）した結果であってよいことを理解されたい。
【００３３】
［００３３］本開示の目的で、「色」との用語は、「スペクトル」との用語と同義に使用される。しかし、「色」との用語は、通常、観察者によって知覚可能である放射の特性を主に指すために使用される（ただし、この使用は、当該用語の範囲を限定することを意図していない）。したがって、「様々な色」との用語は、様々な波長成分及び／又は帯域幅を有する複数のスペクトルを暗に指す。更に、当然のことながら、「色」との用語は、白色光及び非白色光の両方との関連で使用されてもよい。
【００３４】
［００３４］「照明固定具」との用語は、本明細書では、特定の形状因子、アセンブリ、又はパッケージの１つ以上の照明ユニットの実施態様又は配置を指すために使用される。「照明ユニット」との用語は、本明細書では、同じ又は異なるタイプの１つ以上の光源を含む装置を指して使用される。所与の照明ユニットは、様々な光源の取り付け配置、筐体／ハウジング配置及び形状、並びに／又は、電気及び機械的接続構成の何れか１つを有してもよい。更に、所与の照明ユニットは、光源の動作に関連する様々な他の構成要素（例えば制御回路）に任意選択的に関連付けられてもよい（例えば含む、結合される、及び／又は一緒にパッケージされる）。「ＬＥＤベース照明ユニット」とは、上記した１つ以上のＬＥＤベースの光源を、単独で又はその他の非ＬＥＤベースの光源との組合せで含む照明ユニットを指す。「マルチチャネル」照明ユニットとは、それぞれ異なる放射スペクトルを発生する少なくとも２つの光源を含むＬＥＤベースの又は非ＬＥＤベースの照明ユニットを指すものであり、各異なる光源スペクトルは、マルチチャネル照明ユニットの「チャネル」と呼ばれる。
【００３５】
［００３５］「コントローラ」という用語は、本明細書では概して１つ又は複数の光源の動作に関係する様々な機器を表現するために使われる。コントローラは、本明細書で論じられる様々な機能を実行するために多数の方法で実装され得る（例えば専用ハードウェアによってなど）。「プロセッサ」は、本明細書で論じられる様々な機能を実行するためにソフトウェア（例えばマイクロコード）を使用してプログラムされ得る１つ又は複数のマイクロプロセッサを用いるコントローラの一例である。コントローラは、プロセッサを使って又は使わずに実装されてもよく、何らかの機能を実行するための専用ハードウェアと他の機能を実行するためのプロセッサとの組合せ（例えば１つ又は複数のプログラムされたマイクロプロセッサと関連する回路）としても実装され得る。本開示の様々な実施形態で使用され得るコントローラ部品の例は、これだけに限定されないが、従来のマイクロプロセッサ、特定用途向け集積回路（ＡＳＩＣ：application specific integrated circuit）、及び書替え可能ゲートアレイ（ＦＰＧＡ：field-programmable gate array）を含む。
【００３６】
［００３６］様々な実装形態において、プロセッサ又はコントローラは、１つ又は複数の記憶媒体（本明細書では一般に「メモリ」と呼ばれる、例えばＲＡＭ、ＰＲＯＭ、ＥＰＲＯＭやＥＥＰＲＯＭ、フロッピー（登録商標）ディスク、コンパクトディスク、光学ディスク、磁気テープなどの揮発性及び不揮発性コンピュータメモリ）に関連しても良い。一部の実装形態では、１つ若しくは複数のプロセッサ及び／又はコントローラ上で実行されるとき、本明細書で論じられる機能の少なくとも一部を実行する１つ又は複数のプログラムによって記憶媒体が符号化されても良い。本明細書で論じられる本発明の様々な態様を実施するために、様々な記憶媒体がプロセッサ若しくはコントローラ内に固定されてもよく、又は、記憶媒体上に記憶された１つ又は複数のプログラムがプロセッサ又はコントローラ内にロードされ得るように、可搬式とすることができる。「プログラム」又は「コンピュータプログラム」という用語は、本明細書では、１つ又は複数のプロセッサ又はコントローラをプログラムするために使用され得る任意の種類のコンピュータコード（例えばソフトウェアやマイクロコード）を指すために一般的な意味で使われる。
【００３７】
［００３７］「アドレス指定可能」という用語は、本明細書では、自身を含む複数の装置に宛てられた情報（例えばデータ）を受信し、自らを対象とする特定の情報に選択的に応答するように構成される装置（例えば全般的な光源、照明ユニットや照明固定具、１つ又は複数の光源若しくは照明ユニットに関連するコントローラやプロセッサ、他の照明に関係しない装置等）を指すために使われる。「アドレス指定可能」という用語は、複数の装置が何らかの通信媒体によって共に結合されるネットワーク化された環境（又は以下で更に論じられる「ネットワーク」）に関してしばしば使われる。
【００３８】
［００３８］あるネットワークの実装形態では、ネットワークに結合される１つ又は複数の装置が、そのネットワークに結合される１つ又は複数の他の装置用のコントローラの役割を（例えばマスタ／スレーブの関係で）果たし得る。別の実装形態では、ネットワーク化された環境が、ネットワークに結合される装置の１つ又は複数を制御するように構成される１つ又は複数の専用コントローラを含み得る。概して、ネットワークに結合される複数の装置は通信媒体上にあるデータにそれぞれアクセスすることができるが、例えば割り当てられる１つ又は複数の特定の識別子（例えば「アドレス」）に基づきネットワークと選択的にデータをやり取りする（すなわちデータを送受信する）ように構成されるという点で、所与の装置を「アドレス指定可能」としても良い。
【００３９】
［００３９］本明細書で使用するとき、「ネットワーク」という用語は、ネットワークに結合される２台以上の任意の装置間及び／又は複数の装置間の（例えば装置制御、データ記憶、データ交換等のための）情報の搬送を助ける、２台以上の装置（コントローラやプロセッサを含む）の任意の相互接続を指す。容易に理解されるように、複数の装置を相互接続するのに適したネットワークの様々な実装形態は、多岐にわたるネットワークトポロジーの何れかを含むことができ、多岐にわたる通信プロトコルの何れを使用しても良い。更に、本開示による様々なネットワークでは、２台の装置間の任意の１つの接続が２つのシステム間の専用接続、又は非専用接続に相当し得る。２台の装置を対象とした情報を運ぶことに加え、かかる非専用接続は必ずしも２台の装置の何れも対象としない情報を運ぶこともある（例えばオープンネットワーク接続）。更に、本明細書で論じられる装置の様々なネットワークは、ネットワーク全体にわたる情報搬送を助ける１つ又は複数の無線、有線／ケーブル、及び／又は光ファイバリンクを用いても良いことが容易に理解されよう。
【００４０】
［００４０］本明細書において使用される場合、「ユーザーインターフェイス」との用語は、ユーザーとデバイスとの間の通信を可能にする、人間のユーザー又はオペレーターと１つ以上のデバイスとの間のインターフェイスを指す。本開示の多様な実施形態において使用され得るユーザーインターフェイスの例は、限定はされないが、スイッチ、ポテンショメータ、ボタン、ダイヤル、スライダー、マウス、キーボード、キーパッド、多様なゲームコントローラ（例えば、ジョイスティック）、トラックボール、表示画面、多様なグラフィカルユーザーインターフェイス（ＧＵＩ）、タッチスクリーン、マイク、及び人間が発する何らかの形態の刺激を受信し、それに応じて信号を生成し得る他の種類のセンサを含み得る。
【００４１】
［００４１］本明細書において使用される場合、「ユーザーインターフェイス素子」との用語は、１つ以上のＬＥＤの上に設けられ、例えば他の光源及び／又は他のシステム若しくはデバイスを制御するために使用可能なパッシブ又はアクティブなデバイスを指す。ユーザーインターフェイスの一部の実施形態はユーザーインターフェイス素子であり得る。
【００４２】
［００４２］上記の概念及び以下でより詳細に論じられる更なる概念のあらゆる組合せが（かかる概念が互いに矛盾しないという条件で）、本明細書に開示される本発明の内容の一部として考えられることが理解されるべきである。とりわけ、本開示の最後に登場する特許請求の範囲に記載の内容のあらゆる組合せが、本明細書に開示される本発明の内容の一部として考えられる。参照により援用される任意の開示にも現れる可能性がある本明細書で明示的に用いられる専門用語には、本明細書で開示される特定の概念に最もふさわしい意味が与えられるべきことも理解されるべきである。
【図面の簡単な説明】
【００４３】
［００４３］図中、類似の参照符号は一般に様々な図面にわたり同じパーツを指す。また、図面は必ずしも縮尺通りではなく、通常、むしろ本発明の原理を説明することに重点が置かれる。
【００４４】
【図１】［００４４］図１は、コントローラ、ＬＥＤ、及びユーザーインターフェイス素子を有するＬＥＤベース照明システムの一実施形態のブロック図を示す。
【図２】［００４５］図２は、ユーザーインターフェイス素子を１つ以上のＬＥＤと関連付ける方法の例のフローチャートを示す。
【図３】［００４６］図３は、ＬＥＤの表面及びＬＥＤの表面に取り付けられたユーザーインターフェイス素子を示す。
【図４】［００４７］図４は、図３のＬＥＤの表面の一部及びＬＥＤの表面の例から離れるよう分解された図３のユーザーインターフェイス素子のうちの１つの分解斜視図を示す。
【図５】［００４８］図５は、ユーザーインターフェイス素子の２つの例の斜視図を示す。
【図６】［００４９］図６は、ユーザーインターフェイス素子の他の例を示す。
【図７】［００５０］図７は、ユーザーインターフェイス素子の他の例を示す。
【図８】［００５１］図８は、取り付け可能素子に応じて少なくとも１つの光源を調整する方法の例のフローチャートを示す。
【図９】［００５２］図９は、ＬＥＤの表面及びＬＥＤの表面に取り付けられた取り付け可能素子を示す。
【発明を実施するための形態】
【００４５】
［００５３］ＬＥＤベース光源を含む照明システム等の照明システムでは、照明システムの１つ以上の光源を制御可能なことが望ましい。例えば、１つ以上の光源の照明シーン、照明方向、照明カラー、照明強度、ビーム幅、ビーム角、及び／又は他のパラメータを制御可能なことが望ましい可能性がある。１つ以上の光源の構成中の直接指定、商用電源に接続された制御スイッチ、並びに／又はスマートフォン及びタブレットは、それぞれ、１つ以上の照明パラメータの選択を可能にし得る。しかし、かかる直接指定は、適用される照明を微調整する能力の欠如、柔軟性の欠如、及び／又は照明パラメータの適合の欠如等、１つ以上の欠点を有し得る。また、制御スイッチは、商用電源への接続を要する等の１つ以上の欠点を有し得る。また、スマートフォン及び／又はタブレットは、光源を制御するのにリモートデバイスを見つけなければならない、及び／又は、リモートデバイスの他のアクティビティの妨害等、１つ以上の欠点を有し得る。
【００４６】
［００５４］したがって、出願人は、光出力の１つ以上の特性の制御を可能にし、オプションで既存のユーザーインターフェイスの１つ以上の欠点を克服する方法及び装置を提供することのニーズが当該技術分野に存在することを認識及び理解した。
【００４７】
［００５５］より一般的には、出願人は、取り付けられた照明制御素子の１つ以上の特定された特性に基づき光出力の１つ以上の特性を制御することに関する様々な発明的方法及び装置を提供することは有益であろうことを認識及び理解した。
【００４８】
［００５６］上記に鑑みて、本発明の様々な実施形態及び実装形態は、照明制御を対象とする。
【００４９】
［００５７］以下の詳細な説明では、特許請求される発明を完全に理解できるように、限定ではなく説明の目的で、特定の詳細を開示する代表的な実施形態が記載される。しかしながら、本明細書に開示される特定の詳細からは逸脱する本教示に従う他の実施形態も添付の特許請求の範囲の範囲内にあることは、本開示の利益を享受した当業者には明らかであろう。更に、よく知られている装置及び方法の説明は、代表的な実施形態の説明を曖昧にしないように省略され得る。そのような方法及び装置は、明らかに、特許請求される発明の範囲内にある。例えば、本明細書に開示される方法及び装置の側面は、ＬＥＤベース光源のみを有する照明システムに関連して記載される。しかし、本明細書に記載される方法及び装置の１つ以上の側面は、ＬＥＤではない他の光源を追加で及び／又は代替的に含む他の照明システムにおいて実装されてもよい。本明細書に記載される１つ以上の側面の異なる構成の環境における実装は、特許請求の発明の範囲又は趣旨から逸脱することなく考慮される。また、例えば、本明細書に開示される方法及び装置の側面は、単一のコントローラ及び単一の照明ユニットに関連して記載される。しかし、本明細書に記載される方法及び装置の１つ以上の側面は、複数のコントローラ及び／又は複数の照明ユニットを含み得る他の照明システムにおいて実装されてもよい。また、例えば、本明細書に開示される方法及び装置の側面は、ユーザーインターフェイス素子とのユーザーインタラクションに応じてＬＥＤの１つ以上の特性を調整することに関連して記載される。しかし、本明細書に記載される方法及び装置の１つ以上の側面は、本明細書の教示に従い、ユーザーインターフェイス素子とのユーザーインタラクションに応じて他の装置（例えばブラインド、ヒーター、エアコン）の１つ以上の特性を追加で及び／又は代替的に調整可能なシステムにおいて実装されてもよい。
【００５０】
［００５８］図１は、ＬＥＤベース照明システム１００の一実施形態のブロック図を示す。照明システム１００は、少なくとも１つのＬＥＤベース照明ユニット１３０の複数のＬＥＤを制御するコントローラ１２０を含む。ＬＥＤベース照明ユニット１３０は、光出力を生成するよう構成された１つ以上のＬＥＤを含む。ＬＥＤベース照明ユニット１３０のＬＥＤの制御は、ユーザーインターフェイス素子１１０からの入力に少なくとも部分的に基づく。一部の実施形態では、ユーザーインターフェイス素子１１０とのユーザーインタラクションは、ＬＥＤベース照明ユニット１３０のＬＥＤを介してコントローラ１２０に伝達され得る。例えば、本明細書に記載されるように、一部の実施形態では、ＬＥＤはセンシングモードで動作可能な１つ以上のＬＥＤを含み、これらのＬＥＤはユーザーインターフェイス素子１１０とのユーザーインタラクションを感知して、そのユーザーインタラクションをコントローラ１２０に伝達することができる。一部の実施形態では、ユーザーインターフェイス素子１１０とのユーザーインタラクションは、追加で及び／又は代替的に、ＬＥＤを使用せずにユーザーインターフェイス素子１１０によってコントローラ１２０に伝達されてもよい。例えば、ユーザーインターフェイス素子１１０は、１つ以上の無線通信装置及び方法を使用してコントローラ１２０と直接通信し得る。
【００５１】
［００５９］一部の実施形態では、ＬＥＤベース照明ユニット１３０のＬＥＤからの１つ以上の読み取りによってユーザーインターフェイス素子１１０の初期構成が達成され得る。例えば、一部の実施形態では、ＬＥＤはユーザーインターフェイス素子１１０の存在の検出、ユーザーインターフェイス素子１１０の特定のＬＥＤの制御との関連付け、及び／又はユーザーインターフェイス素子１１０の照明制御特性の特定において使用されてもよい。
【００５２】
［００６０］コントローラ１２０は、ユーザーインターフェイス素子１１０から受信される信号に基づきＬＥＤベース照明ユニット１３０を制御する。一部の実施形態では、ＬＥＤベース照明ユニット１３０のＬＥＤは１つ以上のドライバによって駆動され、コントローラ１２０は１つ以上のドライバと通信してＬＥＤを制御する。一部の実施形態では、コントローラ１２０はＬＥＤベース照明ユニット１３０のドライバの一部を形成し得る。一部の実施形態では、コントローラ１２０はＬＥＤベース照明ユニット１３０の１つ以上のローカルコントローラと通信してＬＥＤを制御する。例えば、それぞれがＬＥＤベース照明ユニット１３０の１つ以上のＬＥＤを制御する複数のローカルコントローラが提供されてもよい。一部の実施形態では、コントローラ１２０自体が複数のローカルコントローラを含み、それぞれがＬＥＤベース照明ユニット１３０の１つ以上のＬＥＤを制御してもよい。コントローラ１２０はＬＥＤベース照明ユニット１３０の単一のＬＥＤのグループを制御してもよく、又は複数のＬＥＤのグループを制御してもよい。複数のコントローラを含む実施形態は、オプションで、複数のコントローラ間の有線及び／又は無線通信を含み得る。
【００５３】
［００６１］一部の実施形態では、ＬＥＤベース照明ユニット１３０は、それぞれが１つ以上のＬＥＤを含む複数のＬＥＤグループを含み得る。例えば、一部の実施形態では、ＬＥＤグループはそれぞれ少なくとも１つのＬＥＤの表面（例えば壁、天井、柱、又は他の表面）及び／又はＬＥＤの表面の１つ以上の部分を含み得る。ＬＥＤの表面は平面、曲面、多面、及び／又は１つ以上のＬＥＤを含む他の表面を含み得る。ＬＥＤの表面の例の一部は、壁、天井、床、柱（例えば円柱、四角柱、楕円柱）を含む。各ＬＥＤグループの制御の１つ以上の側面は、各ＬＥＤグループに特有であってもよい。ＬＥＤベース照明ユニット１３０は、ユーザーインターフェイス素子１１０の存在を検出し、ユーザーインターフェイス素子１１０を特定のＬＥＤの制御と関連付け、ユーザーインターフェイス素子１１０の照明制御特性を特定し、及び／又はユーザーインターフェイス素子１１０とのユーザーインタラクションを検出するために使用される１つ以上のセンサを更に含み得る。一部の実施形態では、ユーザーインターフェイス素子１１０の存在を検出し、ユーザーインターフェイス素子１１０を特定のＬＥＤの制御と関連付け、ユーザーインターフェイス素子１１０の照明制御特性を特定し、及び／又はユーザーインターフェイス素子１１０とのユーザーインタラクションを検出するために使用される１つ以上のセンサは、自身に入射する光を感知するよう構成され得るＬＥＤベース照明ユニット１３０の１つ以上のＬＥＤを含み得る。一部の実施形態では、光を感知するよう構成されたＬＥＤは、更に、光出力を生成するよう構成され得る。例えば、ＬＥＤは第１のモードにおいて光出力を生成し、第１のモードで無いときに光を感知可能であってもよい。
【００５４】
［００６２］図２を参照して、ユーザーインターフェイス素子を１つ以上のＬＥＤと関連付ける方法の例のフローチャートが示されている。他の実装形態はステップを異なる順番で実行し、特定のステップを省き、且つ／又は図２に示されているステップとは異なるステップ及び／又は追加のステップを実行し得る。便宜上、方法を実行することができる照明システムの１つ以上のコンポーネントに関連して図２の側面を説明する。コンポーネントは、例えば図１の照明システム１００の１つ以上のコンポーネント及び／又は図３乃至図７の１つ以上のコンポーネントを含み得る。したがって、便宜上、図２に関連して図１及び図３乃至図７の側面が説明される。
【００５５】
［００６３］ステップ２００において、ＬＥＤの表面上に結合されたユーザーインターフェイス素子が特定される。例えば、図１を参照して、ＬＥＤベース照明ユニット１３０のＬＥＤのうちの１つ以上のＬＥＤの上にユーザーインターフェイス素子１１０が結合され、ユーザーインターフェイス素子１１０の存在が特定されてもよい。また、例えば図３を参照して、ユーザーインターフェイス素子３１０、３１２Ａ、３１２Ｂ、及び／又は３１２ＣがＬＥＤの表面３２０上に結合され、それらの存在が特定されてもよい。一部の実施形態では、ユーザーはＬＥＤの表面上の任意の所望の位置にユーザーインターフェイス素子を取り付けることができる。一部の実施形態では、１つ以上のユーザーインターフェイス素子の取り付け位置は指示されてもよい。一部の実施形態では、ユーザーインターフェイス素子は、ユーザーインターフェイス素子がＬＥＤの表面に接着することを可能にする接着剤を含み得る。
【００５６】
［００６４］一部の実施形態では、ＬＥＤの表面のＬＥＤのうちの１つ以上がユーザーインターフェイス素子を特定するために使用され得る。例えば、１つ以上のセンシングＬＥＤが感知した光量値が、かかるＬＥＤの上のＬＥＤ表面にユーザーインターフェイス素子が取り付けられているか否かを示し得る。一部の実施形態では、ＬＥＤ表面にユーザーインターフェイス素子が取り付けられているか否かを決定するために、１つ以上のＬＥＤが感知した少なくとも１つの光量値が、（例えば、経験的な及び／又はユーザーインターフェイス素子が存在しない較正モードで測定された）少なくとも１つ以上のベースライン光量値と比較されてもよい。例えば、一部の実施形態では、ユーザーインターフェイス素子が取り付けられた１つ以上のＬＥＤにおいて感知された少なくとも１つの光量値が、ユーザーインターフェイス素子が取り付けられる前のそれらのＬＥＤにおいて感知された１つ以上の光量値と比較されてもよい。
【００５７】
［００６５］例えば、ユーザーインターフェイス素子の取り付け前にＬＥＤがセンシングモードで作動され、ユーザーインターフェイス素子の取り付け前の少なくとも１つの第１の感知された光量値に基づき、ＬＥＤの第１の値が決定されてもよい。第１の感知された光量値は、センシングモードのＬＥＤに入射する他の光源からＬＥＤに向かう光及び／又はＬＥＤに入射する自然光からの光を感知し得る。また、ユーザーインターフェイス素子の取り付け後にＬＥＤがセンシングモードで作動され、ユーザーインターフェイス素子の取り付け後の少なくとも１つの第２の感知された光量値に基づき、ＬＥＤの第２の値が決定されてもよい。さもなければＬＥＤに入射していたであろう光の少なくとも一部をユーザーインターフェイス素子が遮るので、第２の感知された光量値はより少ない光を示し得る。ＬＥＤの上にユーザーインターフェイス素子が取り付けられているか否かを決定するために、第２の値が第１の値と比較され得る。例えば、第１の値と第２の値との間の差が閾値を満たす場合、ＬＥＤの上にユーザーインターフェイス素子が取り付けられていると決定することができる。
【００５８】
［００６６］また、例えば図３及び図４を参照して、一部の実施形態では、ユーザーインターフェイス素子の存在の特定において、ＬＥＤの表面３２０の１つ以上のＬＥＤによって生成された光が、ＬＥＤの表面３２０の１つ以上の他のＬＥＤによって感知されてもよい。図３は、ＬＥＤの表面３２０上に結合されたユーザーインターフェイス素子３１０、３１２Ａ、３１２Ｂ、及び３１２Ｃを示す。図４は、参照番号４によって特定される図３の一部の分解斜視図を示す。図４では、ＬＥＤの表面３２０の複数の層が互いに及び壁５から離れるよう分解されて示されている。ユーザーインターフェイス素子３１２Ｃも、ＬＥＤの表面３２０の例の一部から離れるよう分解されて示されている。
【００５９】
［００６７］ＬＥＤの表面３２０は、第１のＬＥＤ層３２２、拡散層３２４、及び第２のＬＥＤ層３２６を含む。ＬＥＤの表面３２０は壁５又は他の表面に結合され得る。例えば、一部の実施形態では、第１のＬＥＤ層３２２は壁５に接着的に取り付けられてもよい。他の一部の実施形態では、第１のＬＥＤ層３２２は壁５と結合的に形成されてもよい。第１のＬＥＤ層３２２は複数のＬＥＤ３２３を含む。一部の実施形態では、ＬＥＤの間隔及び／又はパワーは、第１のＬＥＤ層３２２の上に拡散層３２４があるとき、実質的に均質な発光面を作り出せるようなものであってもよい。一部の実施形態では、拡散層３２４は、ＬＥＤ３２３によって生成された光出力を拡散する微小構造を有するプラスチックを含んでもよい。拡散層３２４は、第２のＬＥＤ層３２６の電気接続を可能にする電気接続及び／又はスルーウェイを含み得る。第２のＬＥＤ層３２６は複数のＬＥＤ３２７を含む。図示されるように、一部の実施形態では、ＬＥＤ３２７はＬＥＤ３２３よりも低密度であってもよい。一部の実施形態では、個々のＬＥＤ３２７は、個々のＬＥＤ３２３よりも大きいルーメン出力を生成してもよい。一部の実施形態では、ＬＥＤ３２７は、ＬＥＤ３２３よりも指向性の光出力を生成するための光学素子を含み得る。
【００６０】
［００６８］ＬＥＤ３２３及び／又は３２７は、ユーザーインターフェイス素子の存在を特定するためのセンシングＬＥＤとして使用され得る。例えば、一部の実施形態では、１つ以上のＬＥＤ３２３が光出力を供給し、ＬＥＤ３２７がセンシングモードで動作してＬＥＤ３２７にて受け取られる光出力を感知してもよい。あるＬＥＤ３２７にて受け取られるＬＥＤ３２３からの光出力は、ＬＥＤ３２７の上に物体が存在し、ＬＥＤ３２３からの光出力の一部をＬＥＤ３２７に向けて反射及び／又は屈折させていることを示し得る。例えば、ＬＥＤ３２７の上にユーザーインターフェイス素子３１２Ｃが配置される場合、ユーザーインターフェイス素子３１２Ｃに入射するＬＥＤ３２３からの光出力の少なくとも一部が、ＬＥＤ３２７に向けて反射され得る。一部の実施形態では、光をＬＥＤ３２７に向けて反対に方向転換させるのを助けるために、ＬＥＤの表面に面するユーザーインターフェイス素子３１２Ｃの少なくとも一部は反射性であってもよい。一部の実施形態では、１つ以上のＬＥＤ３２７において感知された光量値が、対応するＬＥＤ３２７の上又は近隣に物体が存在しない場合に予期される光量値を表すベースライン光量値と比較されてもよい。一部の実施形態では、ＬＥＤ３２３によって生成される光は、そのような光を周囲光等の他の光と区別するために、コード化された光であってもよい。
【００６１】
［００６９］一部の実施形態では、ユーザーインターフェイス素子の特定は、ユーザーインターフェイス素子構成のユーザー指示に応じて開始されてもよい。例えば、ユーザーアクションがユーザーインターフェイス素子構成をトリガしてもよい。例えば、コントローラ１２０と通信するボタン又は他のインターフェイス素子（例えば、コントローラ１２０を収容するデバイス上、コントローラ１２０と通信するモバイル電子デバイス（例えばスマートフォン、タブレット）上、ＬＥＤベース照明ユニット１１０上の他のボタン）の作動がユーザーインターフェイス素子構成をトリガしてもよい。
【００６２】
［００７０］また、例えば、一部の実施形態では、ユーザーインターフェイス素子構成を開始するために、近距離無線通信（ＮＦＣ）、ＲＦＩＤ（radio-frequency identification）タグ、並びに／又は他のＲＦデバイス及び／若しくは方法が、ユーザーインターフェイス素子内に実装され及び／又はユーザーインターフェイス素子の設置と組み合わせて使用されてもよい。例えば、一部の実施形態では、１つ以上のＲＦＩＤリーダーがＬＥＤベース照明ユニット１３０内に組み込まれ、コントローラ１２０と通信してもよい。（例えば、ユーザーインターフェイス素子１１０内に埋め込まれ及び／又はユーザーインターフェイス素子１１０を備える設置部材に含まれる）ユーザーインターフェイス素子を示すＲＦＩＤタグが認識されると、コントローラ１２０は、ＬＥＤベース照明ユニット１３０の１つ以上のＬＥＤをセンシングモードで動作させ、感知された値に応じて、かかるＬＥＤ上に取り付けられたユーザーインターフェイス素子の存在を特定し得る。
【００６３】
［００７１］一部の実施形態では、ＬＥＤの表面のＬＥＤは間欠的に光センシングモードで動作し、（例えば、新しいユーザーインターフェイス素子との交換、又は既存のユーザーインターフェイス素子の再配置及び／若しくは再構成のための）新しいユーザーインターフェイス素子の取り付け及び／又は既存のユーザーインターフェイス素子の取り外しを監視してもよい。例えば、一部の実施形態では、ＬＥＤの表面の１つ以上の特定の領域が、ユーザーインターフェイス素子の取り付けのために指定されてもよい。かかる領域の１つ以上のＬＥＤは、少なくとも間欠的に光出力を感知し、感知された値をコントローラに送ることにより、ユーザーインターフェイス素子の取り付け及び／又は取り外しを認識するために使用することができる。
【００６４】
［００７２］一部の実施形態では、ＮＦＣ、ＲＦＩＤタグ、並びに／又は他のＲＦ装置及び／若しくは方法が、ユーザーインターフェイス素子内に実装され及び／又はユーザーインターフェイス素子の設置と組み合わせて使用されてもよい。ＮＦＣ、ＲＦＩＤタグ、又は他のＲＦ信号は、１つ以上の覆われたＬＥＤの上のユーザーインターフェイス素子の存在を特定するために使用することができる。例えば、一部の実施形態では、１つ以上のＲＦＩＤリーダーがＬＥＤベース照明ユニット１３０内に組み込まれ、コントローラ１２０と通信してもよい。ユーザーインターフェイス素子を示すＲＦＩＤタグの認識は、ＬＥＤベース照明ユニット１３０の１つ以上のＬＥＤの上にユーザーインターフェイス素子が設けられていることを決定するためにコントローラ１２０によって使用されてもよい。
【００６５】
［００７３］一部の実施形態では、ユーザーインターフェイス素子のＬＥＤ表面への取り付け時にユーザーインターフェイス素子をハイライトするために、取り付けられたユーザーインターフェイス素子の背後及び／又はユーザーインターフェイス素子の周囲の１つ以上のＬＥＤが点灯されてもよい。例えば、一部の実施形態では、ユーザーインターフェイス素子が半透明で、ユーザーインターフェイス素子の取り付け時にユーザーインターフェイス素子の背後の１つ以上のＬＥＤが点灯され、ユーザーインターフェイス素子がハイライトされてもよい。また、例えば、一部の実施形態では、ユーザーインターフェイス素子の周囲の１つ以上のＬＥＤが点灯されてユーザーインターフェイス素子がハイライトされてもよい。
【００６６】
［００７４］ステップ２０５において、ユーザーインターフェイス素子が被制御ＬＥＤを制御できるよう、ユーザーインターフェイス素子が被制御ＬＥＤと関連付けられる。一部の実施形態では、ユーザーインターフェイス素子は、ユーザーインターフェイス素子の取り付け位置に基づき、被制御ＬＥＤと関連付けられる。例えば、図１を参照して、ＬＥＤベース照明ユニット１３０のＬＥＤ上の任意の位置にユーザーインターフェイス素子１１０が取り付けられると、ユーザーインターフェイス素子１１０がＬＥＤベース照明ユニット１３０のＬＥＤと関連付けられてもよい。例えば、ユーザーインターフェイス素子１１０は、ＬＥＤベース照明ユニット１３０の全てのＬＥＤの制御と関連付けられてもよい。また、例えば、ユーザーインターフェイス素子１１０は、ユーザーインターフェイス素子１１０によって覆われていないＬＥＤベース照明ユニット１３０の全てのＬＥＤの制御と関連付けられてもよい。また、例えば、ユーザーインターフェイス素子１１０は、ユーザーインターフェイス素子１１０が被せられたＬＥＤに関連するＬＥＤベース照明ユニット１３０のＬＥＤのグループの制御と関連付けられてもよい。例えば、ユーザーインターフェイス素子１１０が複数の第１のＬＥＤの上に配置されると、ユーザーインターフェイス素子１１０は第１のＬＥＤグループと関連付けられ、一方、ユーザーインターフェイス素子１１０が複数の第２のＬＥＤの上に配置されると、ユーザーインターフェイス素子１１０は第２のＬＥＤグループと関連付けられてもよい。
【００６７】
［００７５］一部の実施形態では、ユーザーインターフェイス素子１１０と関連付けられる被制御ＬＥＤは、ユーザーインターフェイス素子１１０への被制御ＬＥＤの近さに基づき決定されてもよい。例えば、一部の実施形態では、ユーザーインターフェイス素子は環状のユーザーインターフェイス素子でもよく、ユーザーインターフェイス素子に関連付けられる被制御ＬＥＤは、環状のユーザーインターフェイス素子の内部に位置すると決定された１つ以上のＬＥＤであってもよい。また、例えば、一部の実施形態では、ユーザーインターフェイス素子に関連付けられる被制御ＬＥＤは、ユーザーインターフェイス素子が被せられる１つ以上のＬＥＤ、ユーザーインターフェイス素子を取り囲む１つ以上のＬＥＤ、及び／又はユーザーインターフェイス素子から特定の距離内にある１つ以上のＬＥＤであってもよい。一部の実施形態では、ユーザーインターフェイス素子１１０と関連付けられるＬＥＤを決定し、ユーザーインターフェイス素子１１０がそれらのＬＥＤを制御することを可能にするために、コントローラ１２０は、ユーザーインターフェイス１１０が上に取り付けられる１つ又は複数のＬＥＤと、ＬＥＤベース照明ユニット１３０の他のＬＥＤとの間のマッピング（例えば、コントローラ１２０に関連付けられたメモリ内に保存）を参照してもよい。一部の実施形態では、被制御ＬＥＤは、ユーザーインターフェイス素子が取り付けられる表面とは異なる表面上に存在してもよい。例えば、一部の実施形態では、ユーザーインターフェイス素子は壁の第１の側のＬＥＤ表面上に取り付けられ、壁の第２の側のＬＥＤ（例えば、ユーザーインターフェイス素子と反対側のＬＥＤ）と関連付けられてもよい。また、例えば一部の実施形態では、ユーザーインターフェイス素子は柱のＬＥＤ表面上に取り付けられ、天井（例えば、柱の近くの壁）内のＬＥＤと関連付けられてもよい。
【００６８】
［００７６］一部の実施形態では、ユーザーインターフェイス素子の所望の設置位置への配置の前及び／又は後に、被制御ＬＥＤの近傍にユーザーインターフェイス素子を配置することに基づき、ユーザーインターフェイス素子が被制御ＬＥＤと関連付けられる。例えば、本明細書に記載されるように、一部の実装形態では、（例えばユーザーアクション及び／又はユーザーインターフェイス素子からのＲＦ信号の認識に応じて）ユーザーインターフェイス素子構成が開始され得る。ユーザーインターフェイス素子構成中、ユーザーはユーザーインターフェイス素子を所望の被制御ＬＥＤの近傍に配置することができる。ユーザーインターフェイス素子が所望の被制御ＬＥＤの近傍に配置されると、ユーザーがかかるＬＥＤをユーザーインターフェイス素子によって制御することを望むことが指示され得る。
【００６９】
［００７７］一部の実施形態では、ユーザーインターフェイス素子は、ユーザーがかかるＬＥＤを制御することを望むことを示すために、被制御ＬＥＤに関連付けられた１つ以上の対応するＲＦデバイスとインターフェイス接続可能なＮＦＣ、ＲＦＩＤタグ、及び／又は他のＲＦデバイスを含んでもよい。例えば、ＬＥＤベース照明ユニット１３０は、それぞれがＬＥＤベース照明ユニット１３０のＬＥＤグループに対応し、それぞれがコントローラ１２０と通信する複数のＲＦＩＤリーダーを含み得る。ユーザーインターフェイス素子構成の開始後、ユーザーはユーザーインターフェイス素子１１０を制御が望まれるＬＥＤグループの近傍に配置し、ユーザーインターフェイス素子１１０のＲＦＩＤタグがＲＦＩＤリーダーのうちの１つによって読み取られ、ＲＦＩＤタグが読み取られたことの指標がコントローラ１２０に供給され得る。これに応じて、コントローラ１２０は、ＲＦＩＤリーダーに関連付けられたＬＥＤをユーザーインターフェイス素子１１０と関連付けることができる。
【００７０】
［００７８］一部の実施形態では、ユーザーインターフェイス素子構成中にユーザーインターフェイス素子が被制御ＬＥＤの上に配置され、被制御ＬＥＤのうちの１つ以上がセンシングモードで動作し、ユーザーインターフェイス素子の存在を特定してもよい。例えば、ユーザーインターフェイス素子構成の開始後、ユーザーは制御が望まれるＬＥＤグループの近傍にユーザーインターフェイス素子１１０を配置し、ＬＥＤのうちの１つ以上がセンシングモードで動作してユーザーインターフェイス素子１１０の存在を特定し、ユーザーインターフェイス素子１１０の存在の指標がコントローラ１２０に供給され得る。これに応じて、コントローラ１２０は、ユーザーインターフェイス素子１１０がそのＬＥＤグループを制御するために、ＬＥＤグループをユーザーインターフェイス素子１１０に関連付けることができる。その後、ユーザーインターフェイス素子１１０はオプションでＬＥＤを制御するためのユーザーインタラクションのために別の位置に取り付けられてもよい。
【００７１】
［００７９］一部の実施形態では、ユーザーインターフェイス素子を被制御ＬＥＤと関連付けるために、スマートフォン及び／又はタブレット等の電子デバイスが使用されてもよい。例えば、本明細書に記載されるように、一部の実装形態では、（例えばユーザーアクション及び／又はＲＦ信号の認識に応じて）ユーザーインターフェイス素子構成が開始され得る。ユーザーインターフェイス素子構成中、ユーザーは複数のＬＥＤのうちのいずれがユーザーインターフェイス素子によって制御されるかを特定するために電子デバイスを使用することができる。例えば、ユーザーインターフェイス素子１１０の取り付け後、コントローラ１２０は、ユーザーインターフェイス素子１１０をＬＥＤのグループと関連付けるためにモバイル電子デバイスと通信し得る。モバイル電子デバイスは所定のグループの中からＬＥＤグループを選択し及び／又はグループを作成し得る。一部の実施形態では、被制御ＬＥＤのオプションをユーザーに示すために、ＬＥＤグループが点灯されてもよい。例えば、ユーザーインターフェイス素子が取り付けられるとＬＥＤグループが順次点灯され、ユーザーは所望のＬＥＤグループが点灯されている間に電子デバイスを介してＬＥＤグループのうちの１つを選択することができる。
【００７２】
［００８０］一部の実施形態では、ユーザーインターフェイス素子は、１つ以上の被制御ＬＥＤに関連付けられている１つ以上の光学素子との関連付けを介して、１つ以上のＬＥＤと関連付けられてもよい。例えば、一部の実施形態では、取り付け可能な光学素子が１つ以上のＬＥＤの上に取り付けられ、光学素子が上に取り付けられたＬＥＤに基づき、１つ以上のＬＥＤと関連付けられてもよい。例えば、一部の実施形態では、光学素子が環状で、複数のＬＥＤの上に取り付けられてもよい。光学素子は、環状の光学素子の内部に位置するＬＥＤと関連付けられてもよい。一部の実施形態では、環状の光学素子の内部に位置するＬＥＤとの関連付けは、光学素子が上に配置された１つ以上のＬＥＤによる光学素子の感知、及びそのような１つ以上のＬＥＤの内部のＬＥＤの光学素子との関連付けに基づき得る。図９には、このような取り付け可能な光学素子の一例が、取り付け可能素子９１５によって示されている。
【００７３】
［００８１］また、例えば、一部の実施形態では、１つ以上のＬＥＤの上に光学素子が取り付けられ、光学素子が上に取り付けられた１つ以上のＬＥＤと関連付けられてもよい。例えば、光学素子は、光学素子が被せられたＬＥＤからの光出力を１つ以上の方向に方向転換する指向性光学素子であってもよい。一部の実施形態では、光学素子が被せられたＬＥＤとの関連付けは、ＬＥＤがセンシングモードの間の、光学素子が上に配置された１つ以上のＬＥＤによる光学素子の感知に基づき得る。
【００７４】
［００８２］一部の実施形態では、１つ以上の光学素子をＵＩ素子に関連付けることは、ユーザーインターフェイス素子の識別子と１つ又は複数の光学素子の識別子との間の相関に基づき得る。ユーザーインターフェイス素子及び／又は１つ又は複数の光学素子の識別子の特定は、ユーザーインターフェイス素子に関連して本明細書に記載される１つ以上の装置及び／又は方法等の１つ以上の装置又は方法に基づき得る。例えば、一部の実施形態では、ユーザーインターフェイス素子及び／又は１つ又は複数の光学素子の識別子を特定するためにＲＦＩＤ、ＮＦＣ、形状、及び／又は他の読み取りが使用され得る。一部の実施形態では、光学素子のユーザーインターフェイス素子との関連付けは、両者が取り付けられた時間の近さ及び／又は両者が取り付けられた位置の近さに基づき得る。例えば、ユーザーインターフェイス素子は、位置的に最も近い光学素子のうちの１つ以上と関連付けられてもよい。また、例えば、ユーザーインターフェイス素子は、ユーザーインターフェイス素子の前及び／又は後に時間的に最も近くに取り付けられた光学素子のうちの１つ以上と関連付けられてもよい。
【００７５】
［００８３］また、例えば、光学素子がＬＥＤ表面上に配置されると、光学素子に関連付けられたＬＥＤ表面の部分がある時間（例えば、１分）フラッシュする構成フェーズが使用されてもよい。この時間中に光学素子がユーザーインターフェイス素子に関連付けられてもよい。これは、例えば、ユーザーインターフェイス素子を取り付けることによって、又は、既に取り付けられているユーザーインターフェイス素子とのユーザーインタラクション（例えば、ユーザーインターフェイス素子の「光源ＯＮ」状態を作動させる）によって達成され得る。光学素子とユーザーインターフェイス素子が関連付けられると、光学素子及び関連付けられたＬＥＤがユーザーインターフェイス素子に関連付けられたことをユーザーに示すために、光学素子に関連付けられたＬＥＤが複数回フラッシュしてもよい。
【００７６】
［００８４］ステップ２１０において、ユーザーインターフェイス素子の少なくとも１つの照明制御特性が特定される。照明制御特性はユーザーインターフェイス素子から特定可能な１つ以上の特性に基づき得る。一部の実施形態では、ユーザーインターフェイス素子の照明制御特性は、設置位置及び／又はユーザーインターフェイス素子に関連付けられた被制御ＬＥＤによらず、同じであってもよい。一部の実施形態では、ユーザーインターフェイス素子の照明制御特性は、例えば設置位置、ユーザーインターフェイス素子に関連付けられた被制御ＬＥＤ、（１つ以上の）他のユーザーインターフェイス素子の位置及び／又は照明制御特性等、１つ以上の設置事項に少なくとも部分的に基づいてもよい。一部の実施形態では、ユーザーインターフェイス素子の照明制御特性はユーザー入力に基づいてもよい。一部の実施形態では、コントローラは、ユーザーインターフェイス素子による調整が意図される照明制御特性が被制御光源によって実行可能かを検証し得る。
【００７７】
［００８５］一部の実施形態では、照明制御特性は、ユーザーインターフェイス素子が被せられるＬＥＤに基づき特定される。例えば、複数のＬＥＤのうちのいずれがユーザーインターフェイス素子の存在を感知したかに基づき、ユーザーインターフェイス素子の形状及び／又はサイズが決定されてもよい。形状及び／又はサイズは特定の照明制御特性を示してもよい。例えば、図３を参照して、ユーザーインターフェイス素子３１０及び３１２Ａ−Ｃの形状及び／又はサイズが、ＬＥＤ表面３２０のＬＥＤのうちのいずれがその上のユーザーインターフェイス素子を感知したかに基づき決定され、形状及び／又はサイズは、ユーザーインターフェイス素子の照明制御特性を示し得る。例えば、ユーザーインターフェイス素子３１０の形状及びサイズは、ユーザーインターフェイス素子３１０が、作動時に１つ以上の光源をＯＮ又はＯＦＦにする「ＯＮ／ＯＦＦ」スイッチであることを示し得る。また、例えば、ユーザーインターフェイス素子３１２Ａ−Ｃの形状及びサイズは、それらがそれぞれ、作動時に１つ以上の光源を所与の光レベルに調整する「光レベル」スイッチであることを示し得る。
【００７８】
［００８６］また、例えば、図５を参照して、ユーザーインターフェイス素子５１０の形状及び／又はサイズは、ユーザーインターフェイス素子５１０が、作動時に１つ以上の光源をＯＮ又はＯＦＦにする「ＯＮ／ＯＦＦ」スイッチであることを示し得る。また、ユーザーインターフェイス素子５１０は、ユーザーインターフェイス素子５１０の機能の視覚的及び／又は触覚的指標を提供可能な環状のくぼみを表面内に含む。また、例えば、ユーザーインターフェイス素子５１２の形状及び／又はサイズは、ユーザーインターフェイス素子５１２が、長さ方向沿いのスライド動作に応じて１つ以上の光源の輝度、色、及び／又は他の特性を調整する「スライダー」であることを示してもよい。ユーザーインターフェイス素子５１２は、更に、ユーザーインターフェイス素子５１２の機能の視覚的及び／又は触覚的指標を提供可能な線形のくぼみを表面内に含む。
【００７９】
［００８７］一部の実施形態では、どの他のユーザーインターフェイスが設けられているか及び／又は他のユーザーインターフェイスの位置に基づき、照明制御特性が特定される。例えば、ユーザーインターフェイス素子３１２Ａ−Ｃの形状及びサイズは、それらがそれぞれ、作動時に１つ以上のＬＥＤを所与の光レベルに調整する「光レベル」スイッチであることを示し得る。３つの別個のユーザーインターフェイス素子３１２Ａ−Ｃが存在することの特定は、各インターフェイス素子３１２Ａ−Ｃが作動時に異なる光レベルを提供し、３つの異なる光レベル（例えば低、中、高）が提供されるべきことを示し得る。また、例えば、インターフェイス素子３１２Ａ−Ｃの互いに対する及び／又はユーザーインターフェイス素子３１０に対する位置は、ユーザーインターフェイス素子３１２Ａの作動が最も低い光レベルを提供すべきであり、ユーザーインターフェイス素子３１２Ｂの作動が中間の光レベルを提供すべきであり、ユーザーインターフェイス素子３１２Ｃの作動が最も高い光レベルを提供すべきことを示し得る。
【００８０】
［００８８］一部の実施形態では、ユーザーインターフェイス素子がパッシブなユーザーインターフェイス素子の場合、ユーザーインターフェイス素子の照明制御特性を特定するためにユーザーインターフェイス素子の形状、サイズ、及び／又は配置が使用され得る。パッシブなユーザーインターフェイス素子は、電力を要さず、自己完結型センシング能力を有さないユーザーインターフェイス素子である。
【００８１】
［００８９］一部の実施形態では、照明制御特性は、ユーザーインターフェイス素子のＲＦデバイスを介して特定可能な１つ以上の特性に基づき特定される。例えば、ユーザーインターフェイス素子は、ユーザーインターフェイス素子の１つ以上の照明制御特性の指標を提供するために、被制御ＬＥＤに関連付けられた１つ以上の対応するＲＦデバイスとインターフェイス接続可能なＮＦＣ、ＲＦＩＤタグ、及び／又は他のＲＦデバイスを含み得る。例えば、ＲＦデバイスは、１つ以上の照明特性の制御を可能にする対応するユーザーインターフェイス機能と関連付けられてもよい可読コードを提供し得る。例えば、ＬＥＤベース照明ユニット１３０は、それぞれがＬＥＤベース照明ユニット１３０のＬＥＤグループに対応し、それぞれがコントローラ１２０と通信する複数のＲＦＩＤリーダーを含み得る。ユーザーインターフェイス素子構成の開始後、ＲＦＩＤリーダーのうちの１つによってユーザーインターフェイス素子１１０のＲＦＩＤタグが読み取られ、ＲＦＩＤタグに基づき、ユーザーインターフェイス素子の機能の指標がコントローラ１２０に供給され得る。これに応じて、コントローラ１２０は、ユーザーインターフェイス素子１１０を１つ以上の指示された照明制御特性と関連付けることができる。
【００８２】
［００９０］また、例えば図６を参照して、ユーザーインターフェイス素子６１０は、
ダイナミック領域６１１におけるユーザーインターフェイス素子の作動は、作動時に１つ以上の光源をダイナミック状態で動作させること、暖領域６１２におけるユーザーインターフェイス素子の作動は、作動時に暖かい色温度の光出力を生成するよう１つ以上の光源を動作させること、及び冷領域６１３におけるユーザーインターフェイス素子の作動は、作動時にクールな色温度の光出力を生成するよう１つ以上の光源を動作させることを示すＲＦＩＤタグを含んでもよい。要求される光源設定はユーザーインターフェイス素子によって提供される情報に基づいてもよく、且つ／又は、対応する被制御光源の光源能力に基づいてもよい。
【００８３】
［００９１］一部の実施形態では、ユーザーインターフェイス素子の１つ以上の照明制御特性の指標を提供するために、スマートフォン及び／又はタブレット等の電子デバイスが使用され得る。例えば、本明細書に記載されるように、一部の実装形態では、（例えばユーザーアクション及び／又はＲＦ信号の認識に応じて）ユーザーインターフェイス素子構成が開始され得る。ユーザーインターフェイス素子構成中、ユーザーはユーザーインターフェイス素子の１つ以上の制御特性を特定するために電子デバイスを使用することができる。
【００８４】
［００９２］例えば、図７を参照して、コントローラはユーザーインターフェイス素子７１０の照明制御特性を特定するためにモバイル電子デバイスと通信してもよい。モバイル電子デバイスは、所定の照明制御特性の中から照明制御特性を選択し及び／又は照明制御特性を指定し得る。例えば、一部の実施形態では、ユーザーインターフェイス素子７１０は、モバイル電子デバイス（例えば、モバイル電子デバイスのカメラ及び／又はモバイル電子デバイスのＮＦＣを介して）及びユーザーに提示される複数の所定の照明制御特性を使用して特定され得る。照明制御特性は、ユーザーインターフェイス素子７１０の特定及び／又はユーザーインターフェイス素子７１０によって制御される被制御ＬＥＤの能力に基づき得る。
【００８５】
［００９３］例えば、ユーザーインターフェイス素子７１０の第１の所定の照明制御特性は、中央領域７１１におけるユーザーインターフェイス素子７１０の作動は、作動時に１つ以上の光源をＯＮ又はＯＦＦにすることを示し、環状領域７１２におけるユーザーインターフェイス素子７１０の作動は、色温度が作動位置に対応する色温度の調整を提供することを示し得る。また、例えば、ユーザーインターフェイス素子７１０の第２の所定の照明制御特性は、中央領域７１１におけるユーザーインターフェイス素子７１０の作動は、作動時に１つ以上の光源をＯＮ又はＯＦＦにすることを示し、環状領域７１２におけるユーザーインターフェイス素子７１０の作動は、光出力強度が作動位置に対応する光出力強度の調整を提供することを示し得る。追加の及び／又は代替的な照明制御構成が定められてもよい。例えば、１つ以上の照明制御特性の調整は、環状領域７１２のまわりのスライド作動に基づき得る。
【００８６】
［００９４］ステップ２１５において、ユーザーインターフェイス素子とのユーザーインタラクションが特定される。一部の実施形態では、ユーザーインターフェイス素子とのユーザーインタラクションは、ユーザーインターフェイス素子が上に配置されたＬＥＤのうちの１つ以上のＬＥＤを介するユーザーインタラクションのセンシングに基づき得る。例えば、図４を参照して、ユーザーインターフェイス素子３１２Ｃが半透明及び／又は透明であり、１つ以上のＬＥＤ３２７がセンシングモードにあってもよい。ユーザーインターフェイス素子３１２Ｃとのユーザーインタラクションは、１つ以上のＬＥＤ３２７によって感知される光量値を閾値以上変化させ、１つ以上のＬＥＤ３２７によって感知される光量値のこの変化は、コントローラによってユーザーインターフェイス素子３１２Ｃのユーザー作動として特定され得る。一部の実施形態では、ユーザーインターフェイス素子がパッシブなユーザーインターフェイス素子の場合、ユーザーインターフェイス素子とのユーザーインタラクションは、１つ以上のＬＥＤを介するユーザーインタラクションのセンシングに基づき得る。
【００８７】
［００９５］例えば、一部の実施形態では、１つ以上のＬＥＤ３２３が光出力を供給し、ＬＥＤ３２７がセンシングモードで動作してＬＥＤ３２７にて受け取られる光出力を感知してもよい。ＬＥＤ３２７の上方又は上にユーザーの指が配置されると、ユーザーの指に衝突するＬＥＤ３２３からの光出力の少なくとも一部がＬＥＤ３２７に向けて反射され得る。一部の実施形態では、１つ以上のＬＥＤ３２７にて感知された光量値が、ユーザーの指がユーザーインターフェイス素子３１２Ｃ上に配置されていないときの光量値を表す光量値と比較され得る。一部の実施形態では、周囲光等の他の光と区別するために、ＬＥＤ３２３によって生成される光はコード化された光であってもよい。
【００８８】
［００９６］また、例えば、一部の実施形態では、１つ以上のＬＥＤ３２７は、ユーザーインターフェイス素子３２７を通過してＬＥＤ３２７に入射する周囲光及び／又は他の光の遮蔽を感知し得る。遮蔽は、ユーザーインターフェイス素子とのユーザーインタラクションに起因し得る。ユーザーインタラクションを特定するために、このような感知された遮蔽データが、ユーザーインターフェイス素子３１２Ｃ上にユーザーの指が配置されていないときの光量値を表す光量値と比較されてもよい。一部の実施形態では、ユーザーインターフェイス素子３１２Ｃ上にユーザーの指が配置されていないときの光量値を表す光量値は、変化する周囲光及び／又は他の光の光量値を考慮するために、ユーザーインラクションに時間的に近い１つ以上の感知された値であってもよい。
【００８９】
［００９７］一部の実施形態では、ＬＥＤによって感知されるユーザーインタラクションは、ユーザーインターフェイス素子のタッチであり得る。一部の実施形態では、ユーザーインターフェイス素子の単純なタッチ以外のユーザーインタラクションがセンシングＬＥＤによって特定されてもよい。例えば、１つ以上のセンシングＬＥＤにて感知される光量値の変化の時間長に基づき、タッチの持続時間が特定されてもよい。タッチの持続時間は、１つ以上の照明特性を調整するために使用され得る。例えば、一部の実施形態では、ある持続時間を超えるタッチは、１つ以上の被制御光源を減光させ、減光の程度はタッチの持続時間に依存する。また、例えば、複数のセンシングＬＥＤにて感知された光量値の比較に基づき、タッチの方向が特定されてもよい。例えば、ユーザーインターフェイス素子５１２が複数のＬＥＤ上に取り付けられ、１つ以上の光源の調光光出力特性を制御し得る。ユーザーは光出力を増加させるために指をユーザーインターフェイス素子５１２の「上方向に」滑らせ、光出力を減少させるために指をユーザーインターフェイス素子５１２の「下方向に」滑らせてもよい。ユーザーインターフェイス素子の長さ方向沿いにＬＥＤにて経時的に感知された光量値が分析され、ユーザーの指のスライド方向が決定されてもよい。
【００９０】
［００９８］一部の実施形態では、ユーザーインタラクションはユーザーインターフェイス素子によって感知され、ユーザーインターフェイス素子によってコントローラに供給されてもよい。例えば、一部の実施形態では、ユーザーインタラクションはユーザーインターフェイスによって感知され、ユーザーインタラクションの指標はＲＦを使用してユーザーインターフェイス素子によってコントローラに伝達される。例えば、ユーザーインターフェイス素子は、対応するユーザーインタラクションと関連付けられ得る可読コードを提供してもよい。
【００９１】
［００９９］一部の実施形態では、ユーザーインターフェイス素子との一部のインタラクションはユーザーインターフェイス素子によって感知されてユーザーインターフェイス素子によってコントローラに供給され、ユーザーインターフェイス素子との他のインタラクションはユーザーインターフェイス素子が被せられたＬＥＤによって感知されてもよい。例えば、ユーザーインターフェイス素子７１０の中央領域７１１とのユーザーインタラクションは中央領域７１１の背後の１つ以上のＬＥＤによって感知され、環状領域７１２におけるユーザーインターフェイス素子７１０とのユーザーインタラクションはユーザーインターフェイス素子７１０によって感知されてもよい。
【００９２】
［００１００］ユーザーインタラクションの特定及び／又はユーザーインタラクションの指標若しくは他のデータのコントローラへの伝送を可能にするために、ユーザーインターフェイス素子が電源に結合されてもよい。例えば、一部の実施形態では、ユーザーインターフェイス素子はバッテリに結合されてもよい。また、例えば、一部の実施形態では、ユーザーインターフェイス素子はユーザーインターフェイス素子に給電するために利用可能な光を取り込む光捕集（light harvesting）パネルを含んでもよい。例えば、一部の実施形態では、ユーザーインターフェイス素子が被せられる１つ以上のＬＥＤに光捕集パネルが面し、ユーザーインターフェイス素子に給電するよう、ＬＥＤが少なくとも間欠的に駆動されてもよい。例えば、ユーザーインターフェイス素子３１２Ｃは、ユーザーインターフェイス素子３１２Ｃの背後で光出力を生成する１つ以上のＬＥＤ（例えばＬＥＤ３２３及び／又は３２７）からの光を取り込む光捕集パネルを背面上に含み得る。
【００９３】
［００１０１］また、例えば、一部の実施形態では、ユーザーインターフェイス素子は誘導的に給電されてもよい。例えば、ユーザーインターフェイス素子が上に取り付けられるＬＥＤ表面内に小さいコイルが埋め込まれ、ユーザーインターフェイス素子に誘導給電するために使用されてもよい。また、例えば、一部の実施形態では、ユーザーインターフェイス素子は容量的に給電されてもよい。例えば、ユーザーインターフェイス素子に給電するために電磁場、例えばコントローラとユーザーインターフェイス素子との間の通信に用いられる電磁場等が利用されてもよい。ユーザーインターフェイス素子が電力を必要とする場合、ユーザーインターフェイス素子に給電するために追加の及び／又は代替的な装置及び方法が使用され得る。一部の実施形態では、これらの装置及び／又は方法は、商用電源への接続を要するか否かによらず、ユーザーインターフェイス素子の給電を可能にし得る。
【００９４】
［００１０２］ステップ２２０において、ステップ２１５において特定されたユーザーインターフェイス素子とのユーザーインタラクションに応じて、被制御ＬＥＤの少なくとも１つの特性が調整される。例えば、ＯＮ／ＯＦＦ照明制御特性を有するユーザーインターフェイス素子とのユーザーインタラクションに応じて、ユーザーインターフェイス素子によって制御される被制御ＬＥＤがＯＮ又はＯＦＦに切り替えられてもよい。また、例えば、色温度を調整するユーザーインターフェイス素子の側面とのユーザーインタラクションに応じて、ユーザーインターフェイス素子によって制御される被制御ＬＥＤの色温度が調整されてもよい。被制御ＬＥＤと通信する１つ以上のコントローラ及び／又はドライバが、ユーザーインターフェイス素子とのユーザーインタラクションに応じた被制御ＬＥＤの調整を実行してもよい。
【００９５】
［００１０３］一部の実施形態では、ユーザーインターフェイス素子は追加で及び／又は代替的に、ＬＥＤネットワークと通信する他のシステム及び／又はデバイスを制御してもよい。例えば、コントローラ１２０は追加のデバイスと通信し、デバイス及び／又はかかる追加のデバイスを制御する他のコントローラに１つ以上の制御信号を送信してもよい。一部の実施形態では、追加のデバイス及び／又は制御システムは、ＫＮＸ等の標準化されたプロトコルを介して通信し得る。制御され得る追加のデバイスは、例えば、調整可能な窓からの周囲光入射を提供するよう調整可能なブラインド若しくは他の日よけ、暖房若しくは冷房システム、警報システム、並びに／又はテレビ及びオーディオ機器等のメディアシステムを含む。
【００９６】
［００１０４］ユーザーインターフェイス素子が追加で又は代替的に異なるシステム及び／又はデバイスを制御するために使用される実施形態では、ステップ２０５は、ユーザーインターフェイス素子をかかるシステム又はデバイスと関連付けることを含み、ステップ２１０は、ユーザーインターフェイス素子の少なくとも１つのシステム又はデバイス制御特性を特定することを含み得る。一部の実施形態では、ユーザーインターフェイス素子とのユーザーインタラクションの結果、ＬＥＤ表面に関連付けられたコントローラがかかるシステム又はデバイスにユーザーコマンドを送信する。一部の実施形態では、ユーザーインターフェイス素子は専用システムと無線通信するが、ユーザーインターフェイス素子の給電及び／又はユーザーインターフェイスのハイライトのためにＬＥＤ表面を使用し得る。
【００９７】
［００１０５］図８は、取り付け可能素子に応じて少なくとも１つの光源を調整する方法の例のフローチャートを示す。他の実装形態は、異なる順番でステップを実行し、特定のステップを省き、並びに／又は図８に示されるものとは異なるステップ及び／若しくは追加のステップを実行し得る。便宜上、方法を実行可能な照明システムの１つ以上のコンポーネントに関連して図８の側面を説明する。コンポーネントは、例えば、図９のコンポーネントのうちの１つ以上を含み得る。したがって、便宜上、図９の側面が図８に関連して説明される。
【００９８】
［００１０６］概して言えば、取り付け可能素子は、取り付け位置に関する特定の光効果を可能にするために素子の取り付け位置及び少なくとも１つの特性が利用される特定の種類の光学素子である。ＬＥＤの表面を介してこのような取り付け可能素子が検出されるとき、特定の光効果が可能になる。一部の実施形態では、一度取り付けられた後、取り付け可能素子との更なるユーザーインタラクションは特定の光効果を変化させなくてもよい。一部の実施形態では、取り付け可能素子の取り外し及び他の位置への再配置は、特定の光効果を変化させてもよい。
【００９９】
［００１０７］ステップ８００において、ＬＥＤの表面上に結合された取り付け可能素子が特定される。ＬＥＤの表面上の取り付け可能素子の特定は、図２の方法のステップ２００と１つ以上の特徴を共有し得る。例えば、図９を参照して、取り付け可能素子９１５がＬＥＤ表面９２０の１つ以上のＬＥＤの上に結合され、その存在が特定されてもよい。また、例えば、取り付け可能素子９１７がＬＥＤ表面９２０の１つ以上のＬＥＤの上に結合され、その存在が特定されてもよい。一部の実施形態では、取り付け可能素子の取り付け位置が指示されてもよい。一部の実施形態では、取り付け可能素子は、ＬＥＤ表面への付着を可能にする接着剤を含んでもよい。
【０１００】
［００１０８］一部の実施形態では、ＬＥＤ表面の１つ以上のＬＥＤを使用して取り付け可能素子が特定され得る。例えば、１つ以上のセンシングＬＥＤが感知した光量値が、取り付け可能素子がかかるＬＥＤ上のＬＥＤ表面に取り付けられているか否かを示し得る。一部の実施形態では、取り付け可能素子がＬＥＤ表面に取り付けられているか否かを決定するために、１つ以上のＬＥＤが感知した少なくとも１つの光量値が、少なくとも１つの閾値光量値（例えば、経験的な及び／又はユーザーインターフェイス素子が存在しない較正モードで測定された）と比較されてもよい。
【０１０１】
［００１０９］一部の実施形態では、取り付け可能素子の特定は、取り付け可能素子構成のユーザー指示に応じて開始されてもよい。例えば、ユーザーアクションが取り付け可能素子構成をトリガしてもよい。例えば、ＬＥＤの表面９２０のコントローラと通信するボタン又は他のインターフェイス素子の作動が、取り付け可能素子９１５及び／又は９１７に係る取り付け可能素子構成をトリガしてもよい。
【０１０２】
［００１１０］一部の実施形態では、近距離無線通信（ＮＦＣ）、ＲＦＩＤ（radio-frequency identification）タグ、及び／若しくは他のＲＦデバイス並びに／又は方法が、取り付け可能素子内に実装され及び／又は取り付け可能素子の設置と組み合わせて使用されてもよい。ＲＦＩＤタグの認識が取り付け可能素子構成を開始してもよい。
【０１０３】
［００１１１］ステップ８０５において、取り付け可能素子の取り付けに応じて、被制御ＬＥＤの制御のために取り付け可能素子が１つ以上の被制御ＬＥＤと関連付けられる。取り付け可能素子の１つ以上の被制御ＬＥＤとの関連付けは、図２の方法のステップ２０５と１つ以上の特徴を共有し得る。一部の実施形態では、取り付け可能素子は、取り付け可能素子の取り付け位置に基づき被制御ＬＥＤと関連付けられる。例えば、図９を参照して、取り付け可能素子９１５を図示の位置に取り付けると、取り付け可能素子９１５の内部に位置するＬＥＤ表面９２０のＬＥＤ９３０が取り付け可能素子９１５と関連付けられる。また、例えば、図９を参照して、取り付け可能素子９１７を図示の位置に取り付けると、他のＬＥＤ表面（例えば天井又は他の壁）上に位置し、取り付け可能素子９１７に向けられたＬＥＤが取り付け可能素子９１７と関連付けられる。また、例えば、取り付け可能素子をＬＥＤ表面の第１の側に取り付けると、ＬＥＤ表面の他の側に位置するＬＥＤ（例えば、取り付け可能素子と反対側のＬＥＤ）が取り付け可能素子と関連付けられ得る。一部の実施形態では、コントローラは、どのＬＥＤを取り付け可能素子と関連付けるかを決定するために、取り付け可能素子が上に取り付けられた１つ又は複数のＬＥＤと他のＬＥＤとの間のマッピング（例えば、コントローラと関連付けられたメモリ内に保存）を参照してもよい。
【０１０４】
［００１１２］一部の実施形態では、取り付け可能素子の被制御ＬＥＤとの関連付けは、ステップ８１０において特定される照明制御特性に依存し得る。例えば、取り付け可能素子９１５に係る特定された照明制御特性は、取り付け可能素子９１５の内部に位置する全てのＬＥＤを点灯することであり得る。この照明制御特性に基づき、取り付け可能素子９１５の内部に位置するＬＥＤを決定することにより、被制御ＬＥＤを特定することができる。例えば、取り付け可能素子９１５を感知するＬＥＤを特定し、（例えば、ＬＥＤのマッピングを参照することによって）それらの内部に位置するＬＥＤを被制御ＬＥＤとして特定することに基づき、被制御ＬＥＤが特定され得る。
【０１０５】
［００１１３］一部の実施形態では、取り付け可能素子は、ユーザーがかかるＬＥＤを制御することを望むことを示すために、被制御ＬＥＤに関連付けられた１つ以上の対応するＲＦデバイスとインターフェイス接続可能なＮＦＣ、ＲＦＩＤタグ、及び／又は他のＲＦデバイスを含んでもよい。例えば、ＬＥＤの表面９２０及び／又は他の隣接ＬＥＤは、それぞれがＬＥＤの表面９２０中のＬＥＤグループに対応し、それぞれがコントローラと通信する複数のＲＦＩＤリーダーを含み得る。取り付け可能素子構成の開始後、ユーザーは取り付け可能素子を制御が望まれるＬＥＤグループの近傍に配置し、取り付け可能素子のＲＦＩＤタグがＲＦＩＤリーダーのうちの１つによって読み取られ、ＲＦＩＤタグが読み取られたことの指標がコントローラに供給され得る。これに応じて、コントローラは、ＲＦＩＤリーダーに関連付けられたＬＥＤを取り付け可能素子と関連付けることができる。
【０１０６】
［００１１４］一部の実施形態では、取り付け可能素子を被制御ＬＥＤと関連付けるために、スマートフォン及び／又はタブレット等の電子デバイスが使用されてもよい。例えば、本明細書に記載されるように、一部の実装形態では、（例えばユーザーアクション及び／又はＲＦ信号の認識に応じて）取り付け可能素子構成が開始され得る。取り付け可能素子構成中、取り付け可能素子の取り付けに応じて制御されるＬＥＤを特定するために、ユーザーは電子デバイスを使用することができる。例えば、取り付け可能素子９１７の取り付け後、コントローラは、取り付け可能素子９１７にて方向付け可能な光出力を有する１つ以上のＬＥＤを取り付け可能素子９１７と関連付けるためにモバイル電子デバイスと通信し得る。
【０１０７】
［００１１５］ステップ８１０において、取り付け可能素子の少なくとも１つの照明制御特性が特定される。取り付け可能素子の照明制御特性の特定は、図２の方法のステップ２１０と１つ以上の特徴を共有し得る。照明制御特性は、取り付け可能素子から特定可能な１つ以上の特性に基づき得る。一部の実施形態では、取り付け可能素子の照明制御特性は、設置位置及び／又は取り付け可能素子に関連付けられる被制御ＬＥＤによらず同じであってもよい。一部の実施形態では、取り付け可能素子の照明制御特性は、例えば設置位置、取り付け可能素子に関連付けられる被制御ＬＥＤ、並びに／又は他の取り付け可能素子の位置及び／若しくは照明制御特性等の１つ以上の設置事項に少なくとも部分的に基づき得る。一部の実施形態では、取り付け可能素子の照明制御特性はユーザー入力に基づいてもよい。
【０１０８】
［００１１６］一部の実施形態では、照明制御特性は、取り付け可能素子が被せられるＬＥＤに基づき特定される。例えば、複数のＬＥＤのうちのいずれがユーザーインターフェイス素子の存在を感知したかに基づき、取り付け可能素子の形状及び／又はサイズが決定されてもよい。形状及び／又はサイズは特定の照明制御特性を示してもよい。例えば、図９を参照して、取り付け可能素子９１５の環状の形状及び／又はサイズが、ＬＥＤ表面９２０のＬＥＤのうちのいずれがその上の取り付け可能素子９１５を感知したかに基づき決定され、形状及び／又はサイズは、取り付け可能素子９１５の照明制御特性を示し得る。例えば、ユーザー取り付け可能素子９１５の形状及びサイズは、その内部に位置するあらゆる光源が取り付け時に点灯されるべきことを示し得る。また、例えば図９を参照して、取り付け可能素子９１７の円形の形状及び／又はサイズが、ＬＥＤ表面９２０のＬＥＤのうちのいずれがその上の取り付け可能素子９１７を感知したかに基づき決定され、形状及び／又はサイズは、取り付け可能素子９１７の照明制御特性を示し得る。例えば、ユーザー取り付け可能素子９１７の形状及びサイズは、取り付け可能素子９１７に向けられた光出力を有するあらゆる光源が取り付け時に点灯されるべきことを示し得る。
【０１０９】
［００１１７］一部の実施形態では、取り付け可能素子のＲＦデバイスを介して特定可能な１つ以上の特性に基づき照明制御特性が特定される。例えば、取り付け可能素子は、取り付け可能素子の１つ以上の照明制御特性の指標を提供するために、被制御ＬＥＤに関連付けられた１つ以上の対応するＲＦデバイスとインターフェイス接続可能なＮＦＣ、ＲＦＩＤタグ、及び／又は他のＲＦデバイスを含み得る。一部の実施形態では、取り付け可能素子の１つ以上の照明制御特性の指標を提供するために、スマートフォン及び／又はタブレット等の電子デバイスが利用されてもよい。例えば、本明細書に記載されるように、一部の実装形態では、取り付け可能素子構成が（例えばユーザーアクション及び／又はＲＦ信号の認識に応じて）開始され得る。取り付け可能素子構成中、ユーザーは取り付け可能素子の１つ以上の制御特性を特定するために電子デバイスを使用し得る。
【０１１０】
［００１１８］ステップ８１５において、取り付け可能素子の照明制御特性に基づき、被制御ＬＥＤの少なくとも１つの特性が調整される。被制御ＬＥＤの少なくとも１つの特性は、取り付け可能素子の取り付けに応じて調整され得る。例えば、取り付け可能素子９１５の取り付けに応じて、取り付け可能素子９１５の内部のＬＥＤ９３０が点灯されてもよい。また、例えば、取り付け可能素子９１７の取り付けに応じて、他のＬＥＤ表面上のＬＥＤ等、取り付け可能素子９１７に向けられた１つ以上の光源が点灯され、取り付け可能素子９１７に向けられてもよい。一部の実施形態では、被制御ＬＥＤの調整は、対応する取り付け可能素子９１５及び／又は９１７の取り外し時に解除されてもよい。一部の実施形態では、被制御ＬＥＤの調整は、取り付け可能素子９１５及び／又は９１７の取り外し後にも維持されてもよい。例えば、取り付け可能素子９１５の内部のＬＥＤ９３０は、取り付け可能素子９１５の取り外し後にも点灯されたままであってもよい。これらの実施形態の一部では、例えば取り付け可能素子９１５の他の位置での再配置時、又はＬＥＤの表面９２０の再構成時に調整が排除されてもよい。被制御ＬＥＤと通信する１つ以上のコントローラ及び／又はドライバが被制御ＬＥＤの調整を実行してもよい。
【０１１１】
［００１１９］本発明の幾つかの実施形態が本明細書に記載され解説されてきたが、本明細書に記載の機能を実行するための及び／又は本明細書に記載の結果及び／又は利点の１つ若しくは複数を得るための、多岐にわたる他の手段及び／又は構造を当業者なら容易に思い付き、かかる改変形態及び／又は修正形態のそれぞれは、本明細書に記載の本発明の実施形態の範囲に含まれると見なされる。より一般的には、当業者は本明細書に記載の全てのパラメータ、寸法、材料、及び構成が例示的であることを意図し、実際のパラメータ、寸法、材料、及び／又は構成は本発明の教示が使用される具体的応用に依拠することを容易に理解する。当業者は、本明細書に記載の本発明の特定の実施形態に対する多くの均等物を、通常の実験のみを使用することで理解し又は確認することができる。従って、上記の実施形態は例として示されているに過ぎず、添付の特許請求の範囲及びその均等物の範囲内で、本発明の実施形態が、具体的に記載され請求されている以外の方法で実施されても良いことが理解されるべきである。本開示の発明に関する実施形態は、本明細書に記載の個々の特徴、システム、物品、材料、キット、及び／又は方法を対象とする。更に、かかる特徴、システム、物品、材料、キット、及び／又は方法が互いに矛盾しない場合、２つ以上のかかる特徴、システム、物品、材料、キット、及び／又は方法の任意の組合せが本開示の発明の範囲に含まれる。
【０１１２】
［００１２０］本明細書にて定義され且つ用いられた定義はすべて、辞書の定義、参照することにより組み込まれた文献における定義、及び／又は、定義された用語の通常の意味に優先すると理解されるべきである。
【０１１３】
［００１２１］本明細書及び特許請求の範囲にて使用される「ａ」及び「ａｎ」の不定冠詞は、特に明記されない限り、「少なくとも１つ」を意味するものと理解されるべきである。
【０１１４】
［００１２２］本明細書及び特許請求の範囲で使用されるとき、「及び／又は」という語句は、そのように結合される要素の「いずれか又は両方」、すなわち場合によっては結合的に存在し、他の場合は分離的に存在する要素を意味すると理解されるべきである。「及び／又は」を用いて挙げられる複数の要素も同様に、すなわちそのように結合される要素の「１つ又は複数」として解釈されるべきである。「及び／又は」の節によって具体的に特定される要素以外の要素が、具体的に特定される要素に関係していようといまいと任意選択的に含まれても良い。従って、非限定的な例として、「含む」などの非制限的言語と組み合わせて使用されるとき、「Ａ及び／又はＢ」への言及は一実施形態ではＡだけを指し（Ｂ以外の要素を任意選択的に含む）、別の実施形態ではＢだけを指し（Ａ以外の要素を任意選択的に含む）、更に別の実施形態ではＡとＢの両方（他の要素を任意選択的に含む）等を指すことができる。
【０１１５】
［００１２３］本明細書及び特許請求の範囲において、「又は」は、上記で定義した「及び／又は」と同じ意味を有すると理解されるべきである。例えば、列挙される項目を分けるとき、「又は」又は「及び／又は」は包括的であると解釈されるべきであり、つまり、複数の又は列挙される要素の少なくとも１つ及び２つ以上、並びに、任意で、追加の列挙されていない項目を含む。明確に反する用語、例えば「１つのみ」若しくは「ただ１つ」、又は特許請求の範囲で使用される場合の「〜からなる」等のみが複数の又は列挙される要素のうちのただ１つの要素を含むことを意味する。通常、本明細書で使用される場合、用語「又は」は、「どちらかの」、「〜のうちの１つ」、「〜のうちの１つのみ」、又は「〜のうちのちょうど１つ」等の排他的な用語を伴う場合にのみ排他的選択肢（すなわち、「両方ではなくどちらか一方」）を指すと解されるべきである。特許請求の範囲において使用される場合、「本質的に〜からなる」は、特許法の分野において使用される通常の意味を有するであろう。
【０１１６】
［００１２４］本明細書及び特許請求の範囲において、１つ以上の要素の列挙に関連する語句「少なくとも１つ」は、要素の列挙内の任意の１つ以上の要素から選択される少なくとも１つの要素を意味すると理解されるべきであり、必ずしも要素の列挙内に具体的に列挙される全ての要素を少なくとも１つ含まず、要素の列挙内の要素のあらゆる組み合わせを除外しない。また、この定義は、語句「少なくとも１つ」が指す要素の列挙内に具体的に特定される要素以外の要素が任意で存在し得ることを許容し、具体的に特定される要素に関係しても無関係でもよい。したがって、非限定的な例として、一実施形態において、「Ａ及びＢの少なくとも１つ」（又は、同等に、「Ａ又はＢの少なくとも１つ」若しくは「Ａ及び／又はＢの少なくとも１つ」）は、Ｂが存在せず、少なくとも１つの、任意で２つ以上のＡを指し（任意でＢ以外の要素を含む）、他の実施形態においては、Ａが存在せず、少なくとも１つの、任意で２つ以上のＢを指し（任意でＡ以外の要素を含む）、他の実施形態においては、少なくとも１つの、任意で２つ以上のＡ、及び少なくとも１つの、任意で２つ以上のＢを指し得る（任意で他の要素を含む）。
【０１１７】
［００１２５］更に、特に明記されない限り、本明細書に記載された２つ以上のステップ又は動作を含むどの方法においても、当該方法のステップ又は動作の順番は、記載された方法のステップ又は動作の順序に必ずしも限定されないことを理解すべきである。
【０１１８】
［００１２６］請求項において、括弧内の任意の参照符号は、便宜上、提供されているに過ぎず、当該請求項をいかようにも限定することを意図していない。
【０１１９】
［００１２７］特許請求の範囲においても上記明細書においても、「備える」、「含む」、「運ぶ」、「有する」、「含有する」、「関与する」、「保持する」、「〜から構成される」等といったあらゆる移行句は、非制限的、すなわち、含むがそれに限定されないことを意味すると理解すべきである。米国特許庁特許審査手続便覧の第２１１１．０３項に記載される通り、「〜からなる」及び「本質的に〜からなる」といった移行句のみが、制限又は半制限移行句である。
【図１】
0006345702.tif 000002
【図２】
0006345702.tif 000003
【図３】
0006345702.tif 000004
【図４】
0006345702.tif 000005
【図５】
0006345702.tif 000006
【図６】
0006345702.tif 000007
【図７】
0006345702.tif 000008
【図８】
0006345702.tif 000009
【図９】
0006345702.tif 000010